(57)【要約】  非破壊検査装置１０は、検査対象物１に中性子線を入射し、中性子線により発生したガンマ線のうち検査対象物１内の対象成分に由来の特定ガンマ線を検出し、検出結果に基づいて対象成分が存在する深さを検出する。非破壊検査装置１０は、検査対象物１の表面１ａへ中性子線を照射する中性子源３と、エネルギーが異なる複数種類の特定ガンマ線の強度を検出強度としてそれぞれ検出するガンマ線検出装置５と、複数種類の特定ガンマ線の検出強度同士の比率を求める比率算出部７とを備える。
2019198260.tif 000002
【特許請求の範囲】
【請求項１】
（Ａ）検査対象物に中性子線を入射し、
（Ｂ）前記中性子線により発生したガンマ線のうち、検査対象物内の対象成分に由来の特定ガンマ線を検出及び同定し、
（Ｃ）当該検出の結果に基づいて対象成分が存在する深さを示す指標値を生成し、
前記（Ｂ）において、エネルギーが異なる複数種類の特定ガンマ線の強度を、検出強度としてそれぞれ検出し、
前記（Ｃ）において、複数種類の特定ガンマ線の前記検出強度同士の比率を前記指標値として求める、非破壊検査方法。
【請求項２】
（Ｄ）検査対象物において対象成分が存在する深さと、複数種類の特定ガンマ線の検出強度同士の比率との関係を表わす深さデータを、予め求めて深さデータ記憶部に記憶させ、
（Ｅ）前記深さデータ記憶部の前記深さデータと、前記（Ｃ）で求めた前記比率とに基づいて、対象成分が存在する深さを求める、請求項１に記載の非破壊検査方法。
【請求項３】
（Ｆ）前記複数種類のいずれかの特定ガンマ線を選択ガンマ線として、検査対象物における各深さについて、選択ガンマ線の検出強度と対象成分の濃度との関係を表わす濃度データを予め求め、
（Ｇ）前記（Ｃ）での前記指標値に基づいて求めた深さと、該深さについての前記濃度データと、選択ガンマ線の検出強度とに基づいて、当該深さでの対象成分の濃度を求める、請求項１又は２に記載の非破壊検査方法。
【請求項４】
前記対象成分は塩分である、請求項１〜３のいずれか一項に記載の非破壊検査方法。
【請求項５】
検査対象物に中性子線を入射し、前記中性子線により発生したガンマ線のうち検査対象物内の対象成分に由来の特定ガンマ線を検出及び同定し、当該検出の結果に基づいて対象成分が存在する深さを導出するための非破壊検査装置であって、
検査対象物の表面へ中性子線を照射する中性子源と、
エネルギーが異なる複数種類の特定ガンマ線の強度を、検出強度としてそれぞれ検出するガンマ線検出装置と、
複数種類の特定ガンマ線の前記検出強度同士の比率を求める比率算出部とを備える、非破壊検査装置。
【請求項６】
検査対象物において対象成分が存在する深さと、複数種類の特定ガンマ線の検出強度同士の比率との関係を表わす深さデータが予め求められており、
前記深さデータを記憶する深さデータ記憶部を備え、
前記深さデータ記憶部の前記深さデータと、前記比率算出部が算出した前記比率とに基づいて、対象成分が存在する深さを求める深さ検出部を備える、請求項５に記載の非破壊検査装置。
【請求項７】
前記複数種類のいずれかの特定ガンマ線を選択ガンマ線として、検査対象物における各深さについて、選択ガンマ線の検出強度と対象成分の濃度との関係を表わす濃度データが予め求められており、
検査対象物における各深さについての濃度データを、当該深さに対応づけて記憶する濃度データ記憶部と、
前記深さ検出部が求めた深さと、前記濃度データ記憶部に記憶されている当該深さに対応する前記濃度データと、選択ガンマ線の検出強度とに基づいて、当該深さでの対象成分の濃度を求める濃度評価部とを備える、請求項６に記載の非破壊検査装置。
【請求項８】
前記対象成分は塩分である、請求項５〜６のいずれか一項に記載の非破壊検査装置。
【請求項９】
（Ａ）検査対象物にパルス中性子線を入射し、
（Ｂ）前記パルス中性子線により発生したガンマ線のうち検査対象物内の対象成分に由来の特定ガンマ線を検出し、
（Ｃ）当該検出の結果に基づいて、基準時点に対する、前記（Ｂ）において特定ガンマ線が検出された時点を特定する、非破壊検査方法。
【請求項１０】
（Ｄ）検査対象物において対象成分が存在する深さと、検査対象物にパルス中性子線を入射させた場合に対象成分に由来する特定ガンマ線が検出される時点との関係を表わす深さデータを、予め求めて深さデータ記憶部に記憶させ、
（Ｅ）前記深さデータ記憶部の前記深さデータと、前記（Ｃ）で特定した前記時点とに基づいて、対象成分が存在する深さを求める、請求項９に記載の非破壊検査方法。
【請求項１１】
（Ｆ）検査対象物における各深さについて、特定ガンマ線の検出強度と対象成分の濃度との関係を表わす濃度データを予め求め、
（Ｇ）前記（Ｃ）で検出した前記時点に基づいて求めた深さと、該深さについての前記濃度データと、特定ガンマ線の検出強度とに基づいて、当該深さでの対象成分の濃度を求める、請求項９又は１０に記載の非破壊検査方法。
【請求項１２】
前記対象成分は塩分である、請求項９〜１１のいずれか一項に記載の非破壊検査方法。
【請求項１３】
検査対象物にパルス中性子線を入射し、前記パルス中性子線により発生したガンマ線のうち検査対象物内の対象成分に由来の特定ガンマ線を検出及び同定し、当該検出の結果に基づいて対象成分が存在する深さを導出するための非破壊検査装置であって、
検査対象物の表面へパルス中性子線を照射する中性子源と、
検査対象物へのパルス中性子線の入射により生じた特定ガンマ線を検出するガンマ線検出装置と、
基準時点に対する、特定ガンマ線を検出した時点を特定する時点特定部と、を備える、非破壊検査装置。
【請求項１４】
検査対象物において対象成分が存在する深さと、検査対象物にパルス中性子線を入射させた場合に対象成分に由来する特定ガンマ線が検出される時点との関係を表わす深さデータが予め求められており、
前記深さデータを記憶する深さデータ記憶部と、
前記深さデータ記憶部の前記深さデータと、前記時点特定部が特定した前記時点とに基づいて、対象成分が存在する深さを求める深さ検出部と、を備える、請求項１３に記載の非破壊検査装置。
【請求項１５】
検査対象物における各深さについて、特定ガンマ線の検出強度と対象成分の濃度との関係を表わす濃度データが予め求められ、
検査対象物における各深さについての濃度データを、当該深さに対応づけて記憶する濃度データ記憶部と、
前記深さ検出部が求めた深さと、濃度データ記憶部に記憶されている当該深さに対応する前記濃度データと、特定ガンマ線の検出強度とに基づいて、当該深さでの対象成分の濃度を求める濃度評価部とを備える、請求項１４に記載の非破壊検査装置。
【請求項１６】
前記対象成分は塩分である、請求項１３〜１５のいずれか一項に記載の非破壊検査装置。
【請求項１７】
検査対象物に中性子源から中性子線を入射し、前記中性子線により発生したガンマ線のうち検査対象物内の対象成分に由来の特定ガンマ線を検出及び同定し、当該検出の結果に基づいて対象成分が存在する深さを得るための非破壊検査方法であって、
（Ａ）ガンマ線検出装置を用意し、該ガンマ線検出装置は、特定ガンマ線を検出するガンマ線検出器と、ガンマ線遮蔽部とを備え、前記ガンマ線遮蔽部には、ガンマ線通過穴が形成されており、該ガンマ線通過穴は、ガンマ線が進入可能な開口を有し、該ガンマ線通過穴において前記開口から奥側にずれた位置に前記ガンマ線検出器が配置され、前記開口と前記ガンマ線検出器とは基準直線上に位置しており、
（Ｂ）前記中性子源から放出される中性子線の経路と前記基準直線の延長線とが検査対象物の内部において交差するように、前記中性子源と前記ガンマ線検出器と前記ガンマ線遮蔽部を配置し、
（Ｃ）前記（Ｂ）の状態で、前記中性子源から前記検査対象物に中性子線を入射し、これにより発生したガンマ線を前記ガンマ線検出器により検出し、
（Ｄ）前記ガンマ線検出器が前記（Ｃ）で得た検出データに基づいて、特定ガンマ線の検出回数を求める、非破壊検査方法。
【請求項１８】
（Ｅ）検査対象物における各深さについて、特定ガンマ線の検出強度と対象成分の濃度との関係を表わす濃度データを予め求め、
（Ｇ）前記（Ｃ）において前記経路と前記基準直線の延長線とが交差する位置に対応する検査対象物内の深さと、該深さについての前記濃度データと、特定ガンマ線の検出強度とに基づいて、当該深さでの対象成分の濃度を求める、請求項１７に記載の非破壊検査方法。
【請求項１９】
前記ガンマ線遮蔽部は、前記開口が形成されている先端面を有し、前記基準直線が前記先端面に対して斜めに延びているように前記先端面が形成されている、
前記（Ａ）において、前記ガンマ線遮蔽部の前記先端面を前記検査対象物の表面に対向させるように、前記ガンマ線遮蔽部と前記ガンマ線検出器を配置する、請求項１７又は１８に記載の非破壊検査方法。
【請求項２０】
検査対象物に中性子線を入射し、前記中性子線により発生したガンマ線のうち検査対象物内の対象成分に由来の特定ガンマ線を検出及び同定し、当該検出の結果に基づいて対象成分が存在する深さを導出するための非破壊検査装置であって、
検査対象物の表面へ中性子線を照射する中性子源と、
検査対象物への中性子線の入射により生じた特定ガンマ線を検出するガンマ線検出装置と、を備え、
前記ガンマ線検出装置は、特定ガンマ線を検出するためのガンマ線検出器と、ガンマ線遮蔽部とを備え、
前記ガンマ線遮蔽部には、ガンマ線通過穴が形成されており、該ガンマ線通過穴は、ガンマ線が進入可能な開口を有し、該ガンマ線通過穴において前記開口から奥側にずれた位置に前記ガンマ線検出器が配置され、前記開口と前記ガンマ線検出器とは基準直線上に位置している、非破壊検査装置。
【請求項２１】
検査対象物における各深さについて、特定ガンマ線の検出強度と対象成分の濃度との関係を表わす濃度データを予め求め、
検査対象物における各深さについての濃度データを、当該深さに対応づけて記憶する濃度データ記憶部と、
入力された検査対象物の深さと、濃度データ記憶部に記憶されている当該深さに対応する前記濃度データと、特定ガンマ線の検出強度とに基づいて、当該深さでの対象成分の濃度を求める濃度評価部とを備える、請求項２０に記載の非破壊検査装置。
【請求項２２】
前記ガンマ線遮蔽部は、前記開口が形成されている先端面を有し、
前記基準直線が前記先端面に対して斜めに延びているように前記先端面が形成されている、請求項２０又は２１に記載の非破壊検査装置。
【請求項２３】
前記ガンマ線遮蔽部は、互いに隙間を隔てた２つの遮蔽ブロックを有し、該隙間が前記ガンマ線通過穴であり、
前記隙間は、前記基準直線に沿って延びており、
前記基準直線と直交する第１方向における前記隙間の寸法は、前記基準直線と前記第１方向の両方に直交する第２方向における前記隙間の寸法よりも小さい、請求項２０〜２２のいずれか一項に記載の非破壊検査装置。
【発明の詳細な説明】
【技術分野】
【０００１】
本発明は、検査対象物内において対象成分が存在する位置の深さ、および、その深さにおける対象成分の濃度を非破壊的に求めるための非破壊検査方法と装置に関する。
【背景技術】
【０００２】
道路や橋梁などのインフラストラクチャー構造物（インフラ構造物という）の劣化要因のひとつに塩害がある。例えば、沿岸からの海風に含まれる塩分や、寒冷地や山間部で散布される凍結防止剤に含まれる塩分が、例えばインフラ構造物であるコンクリート構造物に浸透し、コンクリート構造物内の鉄筋の周囲において、塩化物イオン濃度（以下、塩分濃度）が限界値（１．２〜２．５ｋｇ／ｍ３の範囲内の値）を超えると、鉄筋の腐食が始まり、進行する事でコンクリート構造物が劣化してしまう。【０００３】
コンクリート構造物を安全に維持するために、コンクリート構造物の劣化状態を把握する検査が行われている。従来の検査では、コンクリート構造物の一箇所において、表面から鉄筋付近までのコンクリート（コアという）を削り出し、削り出したコアに対して蛍光Ｘ線分析、電子線マイクロアナライザ分析、電位差滴定法などを行うことにより、塩分濃度を測定する。これにより、コンクリート構造物の表面から鉄筋付近の深さまでの各位置での塩分濃度を測定し、コンクリート構造物の劣化状況を把握することができる。
【先行技術文献】
【特許文献】
【０００４】
【特許文献１】特開２００４−１２５５７０号公報
【発明の概要】
【発明が解決しようとする課題】
【０００５】
しかし、コアを採取し、その塩分濃度を測定するには、次の問題（１）〜（３）がある。（１）コンクリート構造物の一部を破壊してコアを採取するので、コア採取の箇所が制限される。（２）コアの採取や測定の前処理に時間がかかる。（３）コンクリート構造物における一箇所から採取したコアに対して塩分濃度を測定した後、同じ箇所について塩分濃度を再び測定できない。したがって、同じ個所の劣化状況の経年変化を把握できない。【０００６】
なお、特許文献１には、電磁波を用いてコンクリート内の塩分濃度を求める技術が記載されているが、塩分が存在する位置の深さを求めることは開示されていない。【０００７】
したがって、検査対象物内に存在する対象成分（例えば塩分）の位置の深さを非破壊的に検出できる技術が望まれる。【０００８】
そこで、本発明の目的は、検査対象物を破壊することなく、検査対象物内に存在する対象成分の深さを検出できる技術、および、その深さにおける対象成分の濃度評価ができる技術を提供することにある。
【課題を解決するための手段】
【０００９】
本発明の１つの態様による非破壊検査方法では、
（Ａ）検査対象物に中性子線を入射し、
（Ｂ）前記中性子線により発生したガンマ線のうち、検査対象物内の対象成分に由来の特定ガンマ線を検出し、
（Ｃ）当該検出の結果に基づいて対象成分が存在する深さを示す指標値を生成し、
前記（Ｂ）において、エネルギーが異なる複数種類の特定ガンマ線の強度を、検出強度としてそれぞれ検出し、
前記（Ｃ）において、複数種類の特定ガンマ線の前記検出強度同士の比率を前記指標値として求める。【００１０】
また、本発明の１つの態様による非破壊検査装置は、検査対象物に中性子線を入射し、前記中性子線により発生したガンマ線のうち検査対象物内の対象成分に由来の特定ガンマ線を検出及び同定し、当該検出の結果に基づいて対象成分が存在する深さを導出するための装置であって、
検査対象物の表面へ中性子線を照射する中性子源と、
エネルギーが異なる複数種類の特定ガンマ線の強度を、検出強度としてそれぞれ検出するガンマ線検出装置と、
複数種類の特定ガンマ線の前記検出強度同士の比率を求める比率算出部とを備える。【００１１】
本発明の別の態様による非破壊検査方法では、
（Ａ）検査対象物にパルス中性子線を入射し、
（Ｂ）前記パルス中性子線により発生したガンマ線のうち検査対象物内の対象成分に由来の特定ガンマ線を検出し、
（Ｃ）当該検出の結果に基づいて、基準時点に対する、前記（Ｂ）において特定ガンマ線が検出された時点を特定する。【００１２】
また、本発明の別の態様による非破壊検査装置は、検査対象物にパルス中性子線を入射し、前記パルス中性子線により発生したガンマ線のうち検査対象物内の対象成分に由来の特定ガンマ線を検出及び同定し、当該検出の結果に基づいて対象成分が存在する深さを導出するための装置であって、
検査対象物の表面へパルス中性子線を照射する中性子源と、
検査対象物へのパルス中性子線の入射により生じた特定ガンマ線を検出するガンマ線検出装置と、
基準時点に対する、特定ガンマ線を検出した時点を特定する時点特定部と、を備える。【００１３】
本発明の別の態様による非破壊検査方法は、検査対象物に中性子源から中性子線を入射し、前記中性子線により発生したガンマ線のうち検査対象物内の対象成分に由来の特定ガンマ線を検出及び同定し、当該検出の結果に基づいて対象成分が存在する深さを得るための非破壊検査方法であって、
（Ａ）ガンマ線検出装置を用意し、該ガンマ線検出装置は、特定ガンマ線を検出するガンマ線検出器と、ガンマ線遮蔽部とを備え、前記ガンマ線遮蔽部には、ガンマ線通過穴が形成されており、該ガンマ線通過穴は、ガンマ線が進入可能な開口を有し、該ガンマ線通過穴において前記開口から奥側にずれた位置に前記ガンマ線検出器が配置され、前記開口と前記ガンマ線検出器とは基準直線上に位置しており、
（Ｂ）前記中性子源から放出される中性子線の経路と前記基準直線の延長線とが検査対象物の内部において交差するように、前記中性子源と前記ガンマ線検出器と前記ガンマ線遮蔽部を配置し、
（Ｃ）前記（Ｂ）の状態で、前記中性子源から前記検査対象物に中性子線を入射し、これにより発生したガンマ線を前記ガンマ線検出器により検出し、
（Ｄ）前記ガンマ線検出器が前記（Ｃ）で得た検出データに基づいて、特定ガンマ線の検出回数を求める。【００１４】
また、本発明の別の態様による非破壊検査装置は、検査対象物に中性子線を入射し、前記中性子線により発生したガンマ線のうち検査対象物内の対象成分に由来の特定ガンマ線を検出及び同定し、当該検出の結果に基づいて対象成分が存在する深さを導出するための非破壊検査装置であって、
検査対象物の表面へ中性子線を照射する中性子源と、
検査対象物への中性子線の入射により生じた特定ガンマ線を検出するガンマ線検出装置と、を備え、
前記ガンマ線検出装置は、特定ガンマ線を検出するためのガンマ線検出器と、ガンマ線遮蔽部とを備え、
前記ガンマ線遮蔽部には、ガンマ線通過穴が形成されており、該ガンマ線通過穴は、ガンマ線が進入可能な開口を有し、該ガンマ線通過穴において前記開口から奥側にずれた位置に前記ガンマ線検出器が配置され、前記開口と前記ガンマ線検出器とは基準直線上に位置している。
【発明の効果】
【００１５】
本発明によると、検査対象物を破壊することなく、検査対象物内に存在する対象成分の深さの検出、および、その深さにおける対象成分の濃度評価ができる。
【図面の簡単な説明】
【００１６】
【図１】本発明の第１実施形態による非破壊検査装置の構成を示す。
【図２】中性子源から放出される中性子線のエネルギースペクトルの一例を示す。
【図３】実験においてガンマ線検出器が検出した特定ガンマ線の計数率Ｒγ（回／秒）と、塩分濃度との関係を示す。
【図４】コンクリートに対する複数種類のガンマ線の透過率の理論計算値を比率で表わす。
【図５】第１実施形態による対象成分の深さ検出の原理を説明するための模式図である。
【図６】第１実施形態による非破壊検査方法を示すフローチャートである。
【図７】本発明の第２実施形態による非破壊検査装置の構成を示す。
【図８Ａ】時間に対する陽子ビームパルス信号を示す。
【図８Ｂ】時間に対する特定ガンマ線の検出回数を示す。
【図９】時間差対スペクトルデータの実施例の概略を示す。
【図１０】第２実施形態による非破壊検査方法を示すフローチャートである。
【図１１Ａ】第３実施形態による検出原理を説明するための図である。
【図１１Ｂ】図１１Ａの部分拡大図である。
【図１２】本発明の第３実施形態による非破壊検査装置の構成を示す。
【図１３Ａ】図１１ＡのＸＩＩＩ−ＸＩＩＩ矢視図であり、ガンマ線遮蔽部の形状の具体例を示す。
【図１３Ｂ】図１１ＡのＸＩＩＩ−ＸＩＩＩ矢視図であり、ガンマ線遮蔽部の形状の別の具体例を示す。
【図１４】第３実施形態による非破壊検査方法を示すフローチャートである。
【図１５Ａ】非破壊検査方法のバリエーションを示す説明図である。
【図１５Ｂ】非破壊検査方法の別のバリエーションを示す説明図である。
【図１５Ｃ】非破壊検査方法の更に別のバリエーションを示す説明図である。
【発明を実施するための形態】
【００１７】
本発明の実施形態を図面に基づいて説明する。なお、各図において共通する部分には同一の符号を付し、重複した説明を省略する。また、以下の説明は、特許請求の範囲に記載された発明を限定するものではない。例えば、本発明は、以下で述べる構成要素の全てを備えるものに限定されない。
【００１８】
［第１実施形態］
図１は、本発明の第１実施形態による非破壊検査装置１０の構成を示す。非破壊検査装置１０は、検査対象物１の外部からその表面１ａへ中性子線（中性子ビーム）を入射し、これにより検査対象物１において発生したガンマ線のうち検査対象物１内の対象成分に由来のガンマ線（以下で、単に特定ガンマ線ともいう）を検出及び同定し、この検出結果に基づいて対象成分が存在する深さを導出するための装置である。なお、対象成分の深さは、検査対象物１の表面１ａからの深さである。
【００１９】
実施例では、検査対象物１は、鉄筋を内部に含むコンクリート構造物であり、対象成分は塩分（塩素）である。対象成分が塩分である場合、塩分は、例えば、安定して存在する塩素Ｃｌの同位体３５Ｃｌであってよい。なお、検査対象物１と対象成分は、コンクリート構造物と塩分の組み合わせに限定されない。すなわち、第１実施形態によると、検査対象物１はコンクリート構造物に限定されず、対象成分は、検査対象物１に入射された中性子線により複数種類の特定ガンマ線を放出するものであればよい。例えば、対象成分は、カルシウム（主に４０Ｃａ）、ケイ素（主に２８Ｓｉ）などであってもよい。なお、水素（１Ｈ）は、１本しかガンマ線を出さないので、第１実施形態では対象成分には不適切であるが、後述する第２実施形態と第３実施形態においては水素を対象成分としてもよい。
【００２０】
非破壊検査装置１０は、図１のように、中性子源３と、ガンマ線検出装置５と、比率算出部７と、深さデータ記憶部９ａと、深さ検出部１１と、濃度データ記憶部９ｂを備える。
【００２１】
中性子源３は、検査対象物１の表面１ａへ中性子線を照射し、中性子線を検査対象物１に入射させる。中性子源３は、パルス中性子線を放出してもよいし、中性子線を連続的に放出してもよい。中性子源３は、図１の例では、イオン源３ａと加速装置３ｂとビーム調整器３ｃとターゲット３ｄと容器３ｅと管状遮蔽部材３ｆを有する。
【００２２】
イオン源３ａは、例えば、水素イオン（陽子）を発生させる。加速装置３ｂは、イオン源３ａで発生させた陽子を加速する。一例では、加速装置３ｂにより加速された陽子は、例えば７ＭｅＶのエネルギーを有する。ビーム調整器３ｃは、加速装置３ｂにより加速された陽子ビームの方向や広がりを、ターゲット３ｄに合わせて調整する複数の磁場コイルを有する。ビーム調整器３ｃを経た陽子ビームは、ターゲット３ｄに入射する。これにより、陽子とターゲット３ｄ（例えばベリリウム）との反応により中性子が発生する。ターゲット３ｄは、中性子およびガンマ線がそれぞれ透過し難い材料で形成された容器３ｅ内に配置されている。容器３ｅには、容器３ｅの外面から内部まで貫通する穴が形成されている。この穴には、中性子放出用の管状遮蔽部材３ｆが取り付けられている。管状遮蔽部材３ｆは、中性子が透過し難い材料で形成されている。ターゲット３ｄで発生した中性子は、管状遮蔽部材３ｆの内部を通ることにより中性子線として検査対象物１に入射する。
【００２３】
このような中性子源３は、トラックのような車両に積載できる程度に小型に構成することができる。したがって、上述の非破壊検査装置１０を、例えばトラックのような車両に積載して、検査対象物１（例えば、道路や橋梁などのインフラ構造物）のある場所へ搬送できる。
【００２４】
第１実施形態では、中性子源３が放出する中性子線には、熱中性子と高速中性子が含まれてよい。一般的に、熱中性子は室温で２５ｍｅＶ付近および２５ｍｅＶ以下のエネルギーを有する中性子を示し、高速中性子は、熱中性子よりも十分に高いエネルギー（数百ｋｅＶ以上）を有する中性子を示す。ここで、エネルギーによる中性子の名称の閾値に厳格な定義はないため、本願の定義においては、熱中性子は数十ｍｅＶ（例えば５０ｍｅＶ）以下のエネルギーを有する中性子であってよく、高速中性子は数百ｋｅＶ（例えば２００ｋｅＶ）以上のエネルギーを有する中性子であってよい。なお、熱中性子と高速中性子の間を熱外中性子、０．０１ｅＶ以下を冷中性子と呼称する場合もある。
【００２５】
中性子源３から放出される各中性子のエネルギーは、例えば、１×１０−３ｅＶ〜１×１０７ｅＶの分布を有するが、検査対象物１の種類に応じて適宜の値に設定されてよい。図２は、上述の中性子源３から放出される中性子線のエネルギースペクトルの一例を示す。図２において、横軸は、中性子のエネルギー（運動エネルギー）を示し、縦軸は、単位時間（秒）に単位断面（ｃｍ２）を通過する中性子の数を示す。上記の本願の定義によると、図２において、範囲Ａ内のエネルギーを持つ中性子が熱中性子であり、範囲Ｂ内のエネルギーを持つ中性子が高速中性子である。
【００２６】
中性子源３により検査対象物１に入射された中性子線は、検査対象物１内の対象成分と反応する。これにより、対象成分に由来の特定ガンマ線が発生する。第１実施形態では、エネルギーが異なる複数種類の特定ガンマ線が対象成分から発生する。
【００２７】
ガンマ線検出装置５は、検査対象物１への中性子線の入射により発生した複数種類の特定ガンマ線の強度を、検出強度としてそれぞれ検出する。ガンマ線検出装置５は、ガンマ線検出器５ａと強度検出部５ｂを備える。
【００２８】
ガンマ線検出器５ａは、検査対象物１からのガンマ線の各エネルギー（各波長）について、ガンマ線を検出し、その検出データを強度検出部５ｂに入力する。この検出データは、検出した各ガンマ線のエネルギーに対応する波高値であってよい。
【００２９】
強度検出部５ｂは、ガンマ線検出器５ａから入力された各波高値に基づいて、ガンマ線のエネルギースペクトルを取得する。このエネルギースペクトルは、ガンマ線の各エネルギーにおけるガンマ線の検出回数を示す。本願において、ガンマ線の検出強度は、対応するエネルギーのガンマ線の検出回数に比例する値であってよい。この検出回数は、第１実施形態では、所定の測定時間にわたる検出回数であってよい。所定の測定時間は、中性子線を検査対象物１に照射した時点を原点として、原点から、当該中性子線による十分な量のガンマ線をガンマ線検出器５ａ検出するまでの時間期間である。所定の測定時間は、例えば、上記原点から、１００秒、２００秒、または３００秒などの時間期間であってよいが、これらの時間期間に限定されない。また、ガンマ線の検出強度は、後述する計数率Ｒγであってよい。ガンマ線検出器５ａは、例えばゲルマニウム検出器を用いたものであってよいが、これに限定されない。
【００３０】
強度検出部５ｂは、取得したエネルギースペクトルに基づいて、（例えば当該エネルギースペクトルにおける）複数種類の特定ガンマ線の強度をそれぞれ検出強度として求め、これらの検出強度を比率算出部７へ入力する。複数種類の特定ガンマ線のうち、いずれかの特定ガンマ線を第１特定ガンマ線とし、別のいずれかの特定ガンマ線を第２特定ガンマ線として、強度検出部５ｂは、第１特定ガンマ線と第２特定ガンマ線の強度をそれぞれ検出強度として求め、これらの検出強度を深さ検出部１１と濃度評価部１３へ入力してよい。
【００３１】
実施例では、対象成分である３５Ｃｌに由来する複数種類の特定ガンマ線の主たるものとして、５１７ｋｅＶ、７８６ｋｅＶ、７８８ｋｅＶ、１１６５ｋｅＶ、１９５１ｋｅＶ、６１１１ｋｅＶのエネルギーのガンマ線がある。この場合、例えば、第１特定ガンマ線は、エネルギーが１９５１ｋｅＶのガンマ線であり、第２特定ガンマ線は、エネルギーが５１７ｋｅＶのガンマ線であってよい。ただし、第１特定ガンマ線と第２特定ガンマ線の組み合わせは、これに限定されない。なお、第１特定ガンマ線と第２特定ガンマ線のエネルギー差が大きい方が、深さの検出精度が高くなる傾向がある。ただし、エネルギーの高い（例えば６１１１ｋｅＶ）特定ガンマ線の検出強度は使用しなくてもよい。
【００３２】
比率算出部７は、強度検出部５ｂから入力された複数種類の特定ガンマ線の検出強度同士の比率を求める。実施例では、比率算出部７は、第１特定ガンマ線の検出強度に対する第２特定ガンマ線の検出強度の比率を算出する。
【００３３】
深さデータ記憶部９ａは、検査対象物１において対象成分が存在する深さと、複数種類の特定ガンマ線の検出強度同士の比率との関係を表わす深さデータを記憶している。この深さデータは、予め求めたものであってよく、例えば実験により求められてよい。
【００３４】
この実験では、検査対象物１と同じ材質で形成された複数の供試体を用意する。複数の供試体において対象成分が存在する深さは、これらの供試体の間で異なっている。各供試体について、上述の中性子源３とガンマ線検出装置５を用いて、複数種類の特定ガンマ線の検出強度同士の比率を求める。複数の供試体のそれぞれにおける対象成分の深さと、複数の供試体のそれぞれの上記比率とに基づいて、上述の深さデータを作成する。このように作成した深さデータを深さデータ記憶部９ａに予め記憶させておく。実施例では、深さデータは、検査対象物１において対象成分が存在する深さと、第１特定ガンマ線に対する第２特定ガンマ線の比率との関係を表わす。
【００３５】
なお、深さデータを求めるための上記実験と、検査対象物１の実際の検査（後述のステップＳ１）は、同じ条件で行われるのがよい。この条件は、中性子スペクトル条件、距離条件、および向き条件である。中性子スペクトル条件は、検査対象物１（上記実験では供試体）へ中性子源３から放出させる中性子線のエネルギースペクトルが設定スペクトルであるという条件である。距離条件は、検査対象物１（上記実験では供試体）の表面と検出器５ａとの距離が設定距離であるという条件である。向き条件は、中性子源３における中性子線の放出口（図１では、管状遮蔽部材３ｆにおける先端の開口）の向きと検査対象物１（上記実験では供試体）の表面１ａの向きとの関係（入射角度）、および、検出器５ａの向きと検査対象物１の表面１ａの向きとの関係（検出角度）が設定関係（例えば入射角度が９０度、検出角度が４５度である関係）にあるという条件である。上記「同じ条件」は、さらに他の条件（例えば測定時間条件）を含んでよい。この測定時間条件は、上記の測定時間が設定時間であるという条件である。
【００３６】
深さ検出部１１は、深さデータ記憶部９ａに記憶されている深さデータと、比率算出部７が算出した比率とに基づいて、対象成分が存在する深さを求める。この時、深さ検出部１１は、比率を深さデータに適用することにより、対象成分が存在する深さを求めてよい。深さ検出部１１は、求めた深さを出力する。出力された深さは、適宜の記憶媒体に記憶され、ディスプレイに表示され、または、用紙に印刷されてよい。
【００３７】
濃度データ記憶部９ｂは、上述した第１特定ガンマ線と第２特定ガンマ線のいずれかを選択ガンマ線とした場合に選択ガンマ線の検出強度と対象成分の濃度との関係を表わす濃度データを記憶している。濃度データ記憶部９ｂは、検査対象物１における各深さについての濃度データを、当該深さに対応づけて記憶している。この濃度データは、予め求めたものであってよく、例えば実験により求められてよい。
【００３８】
この実験では、次の（１）〜（３）を行う。
（１）検査対象物１と同じ材質で形成されているが対象成分の濃度が既知である供試体（既知濃度供試体という）を用意する。
（２）既知濃度供試体にゼロ濃度供試体を両者の厚み方向に隙間なく重ねる。ここで、ゼロ濃度供試体は、検査対象物１と同じ材質で形成されているが対象成分の濃度がゼロである供試体である。なお、各供試体は例えば直方体の形状を有している。
（３）上記（２）の状態で、中性子線がゼロ濃度供試体と既知濃度供試体をこの順で通過するように中性子源３から中性子線を放出し、これにより生じる選択ガンマ線の検出強度をガンマ線検出装置５により求める。
【００３９】
上記（１）〜（３）を、対象成分の濃度が互いに異なる複数の既知濃度供試体の各々について行う。これにより、複数の既知濃度供試体のそれぞれにおける対象成分の濃度と、複数の既知濃度供試体のそれぞれの場合の選択ガンマ線の検出強度とに基づいて、上述の濃度データを作成する。ここで、次の式（Ａ）により検出強度を求めてよい。式（Ａ）における各記号は後述の式（１）の場合と同じである。式（Ａ）は、後述の式（１）のεγを無くした場合、すなわち、εγを１にした場合の式である。
Ｒγ  ＝  ｛（Ａ／ｔ）／Ｉγ｝／（Ｉｐ／５０）      ・・・（Ａ）
【００４０】
ゼロ濃度供試体において中性子線が入射される表面から既知濃度供試体までの距離は、検査対象物１における深さ（その表面１ａからの深さ）に相当する。したがって、１つのゼロ濃度供試体（すなわち、当該供試体の厚み）ついて上述のように求めた濃度データは、検査対象物１における１つの深さについてのものである。したがって、厚みが互いに異なる複数のゼロ濃度供試体の各々について、上述のように濃度データを求める。これにより、検査対象物１における各深さについて濃度データを求める。
もしくは、例えば標準ガンマ線源（例えば、１３３Ｂａや１５２Ｅｕ）を用いて、各深さについて検出効率εγ（後述する）を予め取得し、各深さについて当該深さの当該検出効率に基づいた濃度データを求めてもよい。この場合、上記（３）において、選択ガンマ線の検出強度は、後述の式（１）により求められる。
なお、実験を行わなかった深さ（ゼロ濃度供試体の厚み）や選択ガンマ線（ガンマ線のエネルギー）についての濃度データは、実験を行った濃度データや検出効率に基づいて補間により求めてよい。
【００４１】
なお、深さデータ記憶部９ａと濃度データ記憶部９ｂと後述の検出効率記憶部８は、図１のように半導体メモリ、ハードディスク、ＵＳＢメモリなどの同じ記憶装置における異なる記憶領域であってもよいし、別々の記憶装置であってもよい。
【００４２】
濃度評価部１３は、深さ検出部１１が求めた深さと、濃度データ記憶部９ｂに記憶されている当該深さに対応する濃度データと、入力された選択ガンマ線の検出強度とに基づいて、当該深さでの対象成分の濃度を求める。この時、濃度評価部１３は、濃度データ記憶部９ｂにおける各深さに対応する濃度データのうち、深さ検出部１１が求めた深さに対応する濃度データに、選択ガンマ線の検出強度を適用することにより、当該深さにおける対象成分の濃度を求めてよい。濃度評価部１３は、求めた濃度を出力する。出力された濃度は、濃度評価部１３に入力され、適宜の記憶媒体に記憶され、ディスプレイに表示され、または、用紙に印刷されてよい。
【００４３】
なお、濃度データを求めるための上記実験と、検査対象物１における対象成分の濃度の実際の検査（後述のステップＳ５（第２実施形態と第３実施形態ではそれぞれ後述のステップＳ１０５，Ｓ２０５）で用いる選択ガンマ線の検出強度を取得する時の実際の検査）は、同じ条件で行われる。この条件は、上記中性子スペクトル条件、上記距離条件、および上記向き条件を含む。なお、当該「同じ条件」は、さらに他の条件（例えば上記測定時間条件）を含んでもよい。中性子源３が放出する中性子線のビーム径は、例えば中性子源３の構成（例えば管状遮蔽部材３ｆ）により、上記実験と、検査対象物１の実際の検査とで同じになる。
【００４４】
（対象成分の深さの検出原理）
＜元素に由来するガンマ線＞
第１実施形態による対象成分の深さの検出原理を詳しく説明する。検査対象物１に中性子線を入射させると、検査対象物１内に存在する様々な元素が中性子を捕獲する反応を起こして励起状態の複合核となる。複合核は、直ちに励起状態から基底状態に遷移し、この時、ガンマ線を放出する。ガンマ線のエネルギーと、当該ガンマ線の強度は、当該ガンマ線を放出する元素（原子核）に由来する。
【００４５】
＜熱中性子と高速中性子による検出深さ範囲＞
中性子源３からの中性子線に含まれる中性子のうち、熱中性子は元素に捕獲されるが、高速中性子は元素に捕獲されにくい。したがって、検査対象物１に入射された熱中性子は、検査対象物１内において表面１ａから近い範囲に存在する対象成分と反応する確率が高い。この範囲は、検査対象物１がコンクリート構造物である場合には、例えば表面１ａから数ｃｍまでの範囲である。したがって、熱中性子は、表面１ａから近い範囲の対象成分の検出に利用される。
【００４６】
一方、検査対象物１に入射された高速中性子は、検査対象物１内において表面１ａから近い範囲の対象成分とはほとんど反応せず、検査対象物１内で繰り返し散乱して熱中性子になる。このように高速中性子は、熱中性子になって、検査対象物１内において表面１ａから深い範囲に存在する対象成分と反応する確率が高い。この範囲は、検査対象物１がコンクリート構造物である場合には、例えば表面１ａから１０ｃｍから３０ｃｍまでの範囲である。したがって、熱中性子は、表面１ａから深い範囲の対象成分の検出に利用される。
【００４７】
したがって、熱中性子と高速中性子の両方を含む中性子線を検査対象物１に入射させることにより、表面１ａから近い範囲と表面１ａから深い範囲の両方にわたる対象成分の検出に対応できる。
【００４８】
＜実験＞
モルタルで形成した複数のモルタル供試体を用意して実験を行った。これらのモルタル供試体における対象成分としての塩化物イオンの濃度（以下、塩分濃度という）を、それぞれ、０．３ｋｇ／ｍ３、０．５ｋｇ／ｍ３、１ｋｇ／ｍ３、３ｋｇ／ｍ３、５ｋｇ／ｍ３とした。各モルタル供試体は、立方体の形状を有し、一辺が４０ｍｍの寸法を有する。
【００４９】
各モルタル供試体について、中性子源３により、モルタル供試体に中性子線を入射させ、これによりモルタル供試体内で生じたガンマ線のエネルギースペクトルを測定した。各モルタル供試体について、同じ条件で実験を行った。すなわち、当該条件は、上述の中性子スペクトル条件、距離条件、および向き条件を含む。
【００５０】
図３は、実験においてガンマ線検出器５ａが検出した特定ガンマ線の強度である計数率Ｒγ（回／秒）と、塩分濃度との関係を示す。図３において、エネルギーが５１７ｋｅＶ、７８６ｋｅＶ、７８８ｋｅＶ、１１６５ｋｅＶ、１９５１ｋｅＶである特定ガンマ線の測定結果を示している。なお、７８６ｋｅＶと７８８ｋｅＶは値が近いので、図３では、これら２つのエネルギーのガンマ線の検出強度を合わせたものを、１つのエネルギー７８７ｋｅＶとして、特定ガンマ線の計数率Ｒγとしている。
【００５１】
計数率Ｒγは、単位時間で計測された各エネルギーのガンマ線の検出回数から算出される総ガンマ線量（ガンマ線強度）を示す。この総ガンマ線量は、３５Ｃｌが中性子を捕獲して放出した総ガンマ線量である。具体的には、計数率Ｒγ（回／秒）を、次の式（１）により求めた。
Ｒγ  ＝  ［｛（Ａ／ｔ）／εγ｝／Ｉγ］／（Ｉｐ／５０）      ・・・（１）
【００５２】
ここで、Ａは、各エネルギーの特定ガンマ線の検出回数を示す。
εγは、ガンマ線検出効率（％／１００）を示し、標準ガンマ線源などを用いて予め求められている値である。ガンマ線検出効率は、ガンマ線源（ガンマ線が放出された場所）からのガンマ線の量に対する、ガンマ線検出器５ａによるガンマ線の検出回数の比率であり、ガンマ線のエネルギーに反比例し、ガンマ線源とガンマ線検出器５ａとの距離に反比例する値である。対象成分の深さを求めるために、ガンマ線検出装置５には、検査対象物１内のガンマ線源とガンマ線検出器５ａとの距離が所定の一定値であると仮定して、各エネルギーについてのεγが設定されており（当該εγを以下でεγＳやεγｄとも表記する。第２実施形態と第３実施形態でも同様である。）、ガンマ線検出装置５は、特定ガンマ線の各種類に対応するεγに基づいて、上記測定時間にわたる計数率Ｒγの積算値を、当該種類の特定ガンマ線の検出強度として求める。
【００５３】
第１実施形態において、複数種類の特定ガンマ線の検出強度同士の比率を求めることに関するガンマ線検出効率（すなわち、後述のステップＳ２で用いるガンマ線検出効率）は、ガンマ線源とガンマ線検出器５ａの間に空気以外は何も存在しない状態での値である。
一方、対象成分の濃度を求めることに関するガンマ線検出効率（例えば、上述の濃度データを求める場合や後述のステップＳ５で用いるガンマ線検出効率）は、検査対象物１および供試体の材質に応じた値であるのがよい。
【００５４】
Ｉγは、３５Ｃｌの中性子捕獲における特定ガンマ線の強度比（％／１００）を示す。すなわち、Ｉγは、３５Ｃｌに由来する各種類の特定ガンマ線の検出回数を比率で表わしたものである。例えば、１００個の中性子が３５Ｃｌに捕獲された場合に、各種類の特定ガンマ線が何個放出されるかを示したものである。一例では、３５Ｃｌが１００個の中性子を捕獲した場合、１１６５ｋｅＶや１９５１ｋｅＶは、それぞれ２６．８２個、１９．０５個放出される（具体的には、Ｉγ＝０．２６８２、０．１９０５を入力する。）
ｔは、上記測定時間（秒）を示す。
Ｉｐは、測定時において、ターゲット３ｄに入射した上記陽子ビームの平均電流（μＡ）であり、５０は、５０μＡで計数率Ｒγを規格化していることを示す。この数値は、５０でなくてもよく、１０であっても１００であってもよい。なお、計数率Ｒγはガンマ線の強度を示す。
【００５５】
更に、図３から分かるように、各塩分濃度について、特定ガンマ線のエネルギーが高いほど、計数率Ｒγが高くなっている。これは、ガンマ線のエネルギーが高いほど、ガンマ線の透過率が高いことを示している。ここで、透過率とは、モルタル供試体又は検査対象物１内で発生したガンマ線のうち、モルタル供試体又は検査対象物１の表面を通過できるガンマ線の割合を意味する。すなわち、モルタル供試体又は検査対象物１において、表面から所定深さの位置で発生したガンマ線の全量のうち、所定量のガンマ線が表面を通過する場合に、全量に対する所定量の割合が透過率である（以下、同様）。
【００５６】
また、図３から分かるように、モルタル供試体における塩分の濃度が高くなるほど、各特定ガンマ線の検出強度が高くなっている。図３において、塩分の濃度と特定ガンマ線の検出強度とは、ほぼ比例の関係になっている。したがって、複数種類の特定ガンマ線同士の強度比は、対象成分（塩分）の濃度に依存しないといえる。
【００５７】
このような複数種類の特定ガンマ線の透過率の違いと、複数種類の特定ガンマ線の強度比の違いとを合わせて利用することにより、後述のように対象成分の深さを求めることができる。
【００５８】
なお、図３から、塩分の濃度が０．３ｋｇ／ｍ３と低くても、塩分濃度を評価できることが分かる。したがって、コンクリート内の鉄筋が腐食を引き起こす塩分濃度の下限値は、１．２〜２．５ｋｇ／ｍ３程度であるので、鉄筋の腐食を引き起こす濃度の塩分が存在するかを濃度評価部１３により検出できることが分かる。
【００５９】
＜透過率の理論計算＞
図４は、コンクリートに対する複数種類のガンマ線の透過率の理論計算値を比率で表わす。図４において、横軸は、ガンマ線のエネルギーを示し、縦軸は、コンクリート内で発生したガンマ線のうち、その表面を通過するガンマ線の割合を示す透過率を比率で示す。すなわち、エネルギーが２０００ｋｅＶであるガンマ線の透過率を１として、この透過率に対する各ガンマ線の透過率の比率を示している。各ガンマ線のエネルギーは、５００ｋｅＶと１２５０ｋｅＶである。
【００６０】
図４において、丸印は、コンクリートの表面からの１ｃｍの深さで発生したガンマ線についての計算値であり、四角印は、コンクリートの表面からの５ｃｍの深さで発生したガンマ線についての計算値であり、三角印は、コンクリートの表面からの１０ｃｍの深さで発生したガンマ線についての計算値である。図４から分かるように、各深さについて、ガンマ線のエネルギーが高いほど、その透過率は高くなっている。
【００６１】
＜検出原理＞
図５は、第１実施形態による対象成分の深さ検出の原理を説明するための模式図である。図５は、検査対象物１としてのコンクリートの表面に中性子線を入射させることにより、中性子がコンクリート内の塩分と反応して特定ガンマ線が発生した場合を示す。
【００６２】
図５のように、コンクリートにおいて、表面からの深さが第１深さ、第２深さ、又は第３深さの位置に塩分が存在すると仮定する。第１深さに塩分が存在する場合に、コンクリートの表面に入射した中性子がコンクリート内の塩分と反応することにより、エネルギーがＥ１、Ｅ２、Ｅ３の複数種類の特定ガンマ線が生成されて表面から放出されるとする。第２深さと第３深さに塩分が存在する各場合についても、同様に、エネルギーがＥ１、Ｅ２、Ｅ３の複数種類の特定ガンマ線が生成され表面から放出されるとする。
【００６３】
図５において、塩分が第１深さに存在する場合、エネルギーがＥ１、Ｅ２、Ｅ３の特定ガンマ線は、それぞれ強度Ａ１、Ａ２、Ａ３で第１深さにおいて発生し、それぞれ透過率Ｐ１、Ｐ２、Ｐ３で表面を通過し、それぞれ強度Ａ１×Ｐ１、Ａ２×Ｐ２、Ａ３×Ｐ３で検出される。
同様に、塩分が第２深さに存在する場合、エネルギーがＥ１、Ｅ２、Ｅ３の特定ガンマ線は、それぞれ強度Ｂ１、Ｂ２、Ｂ３で第２深さにおいて発生し、それぞれ透過率Ｑ１、Ｑ２、Ｑ３で表面を通過し、それぞれ強度Ｂ１×Ｑ１、Ｂ２×Ｑ２、Ｂ３×Ｑ３で検出される。
同様に、塩分が第３深さに存在する場合、エネルギーがＥ１、Ｅ２、Ｅ３の特定ガンマ線は、それぞれ強度Ｃ１、Ｃ２、Ｃ３で第３深さにおいて発生し、それぞれ透過率Ｒ１、Ｒ２、Ｒ３で表面を通過し、それぞれ強度Ｃ１×Ｒ１、Ｃ２×Ｒ２、Ｃ３×Ｒ３で検出される。
【００６４】
第１深さの場合について、表面を通過した複数種類の特定ガンマ線の検出強度同士の比率を求める。例えば、検出強度Ａ３×Ｐ３に対する検出強度Ａ１×Ｐ１の比率（Ａ１×Ｐ１）／（Ａ３×Ｐ３）を求める。この比率は、第１深さの塩分濃度に依存しない。Ａ１とＡ３は、共に第１深さの塩分濃度に比例し、その結果、Ａ１／Ａ３において、塩分濃度によるＡ１とＡ３の変動は互いに打ち消されるからである。また、Ａ１／Ａ３は、第１深さに依存しない。ある深さ（例えば第１深さ）に達する中性子線（熱中性子）の強度は、深さに比例し、当該深さで発生するガンマ線の強度は、当該深さに達した中性子線（熱中性子）の強度に比例し、その結果、Ａ１／Ａ３において、深さによるＡ１とＡ３の変動は互いに打ち消されるからである。したがって、比率（Ａ１×Ｐ１）／（Ａ３×Ｐ３）において、Ａ１／Ａ３は、塩分の濃度と存在深さによっては変化せず、対象成分に由来の値になる。一方、透過率Ｐ１、Ｐ３は、第１深さに比例しないが、第１深さに対応する値である。よって、強度比（Ａ１×Ｐ１）／（Ａ３×Ｐ３）は、第１深さに対応する値になる。
【００６５】
第２深さの場合についても、同様に、検出強度の比率（Ｂ１×Ｑ１）／（Ｂ３×Ｑ３）は第２深さに対応する値になる。第３深さの場合についても、検出強度の比率（Ｃ１×Ｒ１）／（Ｃ３×Ｒ３）は第３深さに対応する値になる。
【００６６】
したがって、このような比率と、対象成分（ここでは塩分）が存在する深さとの関係を表わす上述の深さデータを予め求め、検査時に測定した検出強度の比率と、深さデータとに基づいて、対象成分が存在する深さを求めることができる。
【００６７】
なお、表面から第３深さにわたって、塩分が存在している場合には、上述した深さ検出部１１が求める深さは、塩分が存在する深さの大まかな値（例えば平均深さ）となる。この場合でも、深さ検出部１１が出力した深さから、塩分が存在している深さの大まかな値を知ることができる。例えば、深さ検出部１１が出力した深さが、検査対象物１としてのコンクリート構造物内の鉄筋の位置に近い場合には、鉄筋が塩分に腐食している可能性があると判断できる。また、同じ検査対象物１について、所定の検査日間隔で（例えば毎月、又は毎年）、繰り返し、塩分の深さを求めることにより、検査対象物１内の塩分の浸透深さの経年変化を知ることができる。
【００６８】
（非破壊検査方法）
図６は、第１実施形態による非破壊検査方法を示すフローチャートである。この方法は、上述した非破壊検査装置１０を用いて行われてよい。この方法は、ステップＳ１〜Ｓ５を有する。
【００６９】
ステップＳ１では、中性子源３により、検査対象物１の表面１ａへ中性子線を照射する。これにより、検査対象物１に入射した中性子線が、検査対象物１内の対象成分と反応して、対象成分に由来する複数種類の特定ガンマ線が発生する。
【００７０】
ステップＳ２では、ガンマ線検出装置５により、ステップＳ１で発生した複数種類の特定ガンマ線の強度をそれぞれ検出強度として検出する。ステップＳ２は、ステップＳ２１，Ｓ２２を有する。ステップＳ２１では、ガンマ線検出器５ａにより、各エネルギーのガンマ線を検出する。ステップＳ２２では、強度検出部５ｂにより、ステップＳ２１で得た検出データ（検出した各ガンマ線のエネルギーに対応する波高値）に基づいて、ガンマ線のエネルギースペクトルを取得し、このエネルギースペクトルに基づいて、上述の式（１）に従って、複数種類の特定ガンマ線の強度をそれぞれ検出強度として検出する。ステップＳ２で用いられるガンマ線検出効率εγは上述のεγＳである。
【００７１】
ステップＳ３では、ステップＳ２での検出の結果に基づいて対象成分が存在する深さを示す指標値を生成する。すなわち、比率算出部７により、ステップＳ２で検出された複数種類の特定ガンマ線の検出強度同士の比率を指標値として求める。実施例では、この比率は、上述の第１特定ガンマ線の検出強度に対する上述の第２特定ガンマ線の検出強度の比率である。
【００７２】
ステップＳ４では、ステップＳ３で求めた比率と、深さデータ記憶部９ａの深さデータとに基づいて、深さ検出部１１により、対象成分が存在する深さを求める。
【００７３】
ステップＳ５では、ステップＳ４で求めた深さと、濃度データ記憶部９ｂに記憶されている当該深さについての濃度データと、選択ガンマ線の検出強度とに基づいて、濃度評価部１３により、当該深さでの対象成分の濃度を求める。
【００７４】
上記式（Ａ）を用いて各深さについて取得した上記濃度データを用いる場合には、ステップＳ５は、次のように行われる。濃度評価部１３は、ステップＳ４で求めた深さと、濃度データ記憶部９ｂに記憶されている当該深さについての濃度データと、選択ガンマ線の検出強度とに基づいて、当該深さでの対象成分の濃度を求める。この場合、ガンマ線検出装置５（強度検出部５ｂ）は、上述のステップＳ２で取得したガンマ線のエネルギースペクトルに基づいて、選択ガンマ線の検出回数Ａを求め、この検出回数Ａと上記式（Ａ）に基づいて、選択ガンマ線の検出強度を求め、この検出強度が、濃度評価部１３に入力されて、ステップＳ５で濃度評価部１３に用いられる。この時に用いる選択ガンマ線の検出強度は、上述のステップＳ２で取得したガンマ線のエネルギースペクトルから新たに選択し、取得したものであってもよい。
【００７５】
一方、各深さについての濃度データが、当該深さに対応するガンマ線検出効率εγを用いて取得されている場合には、ステップＳ５は、次のように行われる。
まず、ステップＳ２で用いたガンマ線検出効率εγをεγＳとし、ステップＳ４で求めた深さに対応するガンマ線検出効率εγをεγｄとして、強度検出部５ｂは、εγＳをεγｄに置き換えた上述の式（１）と、（例えば上述のステップＳ２で得たガンマ線のエネルギースペクトルに基づいて強度検出部５ｂが取得した又は新たに選択し取得した）選択ガンマ線の検出回数Ａとに基づいて、選択ガンマ線の検出強度を求める。この場合、検査対象物１における各深さに対応するガンマ線検出効率εγ（すなわち、各深さについての濃度データを取得するのに用いた、当該各深さに対応するガンマ線検出効率εγ）を表わす検出効率データが図１のように検出効率記憶部８に記憶されており、強度検出部５ｂは、検出効率記憶部８の検出効率データと、ステップＳ４で求めた深さ（深さ検出部１１から入力された当該深さ）とに基づいて、上述のεγｄを特定して、上述のようにεγＳをεγｄに置き換えた上記式（１）を用いる。
次いで、濃度評価部１３は、強度検出部５ｂが求めた当該検出強度と、ステップＳ４で求めた深さと、濃度データ記憶部９ｂに記憶されている当該深さについての濃度データとに基づいて、当該深さでの対象成分の濃度を求める。
【００７６】
（第１実施形態の効果）
上述した検査対象物１に入射した中性子と対象成分との反応により発生する複数種類の特定ガンマ線の強度をそれぞれ検出する。複数種類の特定ガンマ線の検出強度同士の比率は、上述したように、対象成分が存在する深さに対応した値になる。すなわち、この比率は、対象成分が存在する深さを示す。したがって、このような比率を求めることで、対象成分が存在する深さを検出することができる。よって、検査対象物１における対象成分の深さを非破壊的に検出できる。例えば、検査対象物１であるコンクリート構造物からコアを採取せずに、検査対象物１内に存在する対象成分の位置の深さの検出および、その深さにおける対象成分の濃度評価ができる。
【００７７】
また、対象成分が存在するコンクリート中の深さにおけるガンマ線検出効率（上記の計数率Ｒγの算出式（１）中のεγ）を実験により予め取得しておく事で（すなわち、濃度データの取得に関して上述したように、検出効率データを予め取得しておく事で）、先に求めた対象成分の位置の深さに、どの程度の塩分が存在するかも導出可能である。
【００７８】
また、例えば、コンクリート標準示方書において示されるコンクリート内部鋼材腐食が始まる塩分濃度１ｋｇ／ｍ３を下限とし、または、１ｋｇ／ｍ３よりも低い濃度を下限として、当該下限から想定される高い濃度（例えば、１０ｋｇ／ｍ３）までの範囲について上述の濃度データを求めておくことで（すなわち、検量線を引いておくことで）、実測時に得たデータと検量線（濃度データ）との比較を行うことで濃度評価を行うことができる。なお、コンクリート内部鋼材腐食が始まる塩分濃度は、セメントの種類や水コンクリート比によって異なり、１．２〜２．５ｋｇ／ｍ３の範囲である。
【００７９】
第１実施形態において、陽子ビームがターゲット３ｄに入射する方向と、中性子源３における中性子線の放出口の向きとのなす角度が９０度となるように中性子源３を構成してよい。この構成の中性子源３は、熱中性子と高速中性子のうち、高速中性子成分が大幅に減少し、熱中性子が主となる中性子ビームを検査対象物１に照射させる。これにより、検査対象物１の表面１ａに近い範囲内における対象成分の深さを精度よく求めることができる。
【００８０】
一方、第１実施形態において、後述する減速部３ｇを設けない場合、もしくは、減速部３ｇを設けた構成であっても熱中性子遮蔽材を検査対象物１の表面１ａに設置し当該熱中性子遮蔽材を介して中性子線を検査対象物１に照射する場合、中性子源３により、熱中性子と高速中性子のうち、実質的に高速中性子のみを検査対象物１に照射することができる。これにより、検査対象物１の表面１ａから深い範囲内における対象成分の深さを精度よく求めることができる。
【００８１】
［第２実施形態］
図７は、本発明の第２実施形態による非破壊検査装置３０の構成を示す。第２実施形態による非破壊検査装置３０の構成は、以下で説明する点で第１実施形態による非破壊検査装置１０の構成と異なる。第２実施形態について、以下で説明にしない点は、第１実施形態の場合と同じであってよい。第２実施形態の実施例では、検査対象物１はコンクリート構造物であり、対象成分は塩分であるが、検査対象物１と対象成分は、この組み合わせに限定されない。
【００８２】
第２実施形態による非破壊検査装置２０は、中性子源３とガンマ線検出装置５と、時点特定部１５と、深さデータ記憶部９ｃと、深さ検出部１９と、濃度データ記憶部９ｂと、濃度評価部１４を備える。
【００８３】
第２実施形態では、中性子源３は、パルス中性子線を放出する。パルス中性子線放出のための陽子ビームのパルスの時間幅は、例えば０．１ミリ秒程度であり又は０．１ミリ秒よりも小さいが、対象成分の深さの検出を妨げない限りで、これに限定されない。同様に、陽子ビームパルスの繰り返し周波数は、例えば、１００Ｈｚ程度であるが、対象成分の深さの検出を妨げない限りで、これに限定されない。図８Ａは、中性子源３における陽子ビームのパルス時間幅と繰り返し周期（繰り返し周波数の逆数）を説明するための模式図である。図８Ａにおいて、横軸は時間を示し、縦軸は、陽子ビームパルス信号（上述の同期信号）の大きさを示し、繰り返し周期は、上述の陽子ビームの繰り返し周期に等しい。
【００８４】
このパルス中性子線の放出は、距離条件の下で行われる。距離条件は、検査対象物１（後述の深さデータを求める場合には供試体）の表面１ａと中性子源３におけるパルス中性子線の放出位置との距離を設定距離にするという条件である。この放出位置は、例えば、ターゲット３ｄにおける検査対象物１側の表面であってよい。後述の減速部３ｇを設ける場合には、上記放出位置は、減速部３ｇにおける検査対象物１側の表面であってよい。
【００８５】
中性子源３は、ターゲット３ｄにおいて発生した中性子が通過する減速部３ｇを更に備える。減速部３ｇは、通過する高速中性子を減速させて熱中性子に変える材料（例えば、ポリエチレン）で形成されている。したがって、ターゲット３ｄで発生した中性子は、減速部３ｇを通過することで、その一部が熱中性子になって、検査対象物１に入射するので、中性子源３は、熱中性子と高速中性子を検査対象物１へ入射させることができる。
【００８６】
中性子源３により検査対象物１へ入射したパルス中性子線は、検査対象物１内の対象成分と反応する。これにより、対象成分に由来のガンマ線（特定ガンマ線）が生じる。
【００８７】
ガンマ線検出装置５は、検査対象物１へ入射したパルス中性子線により生じた特定ガンマ線を検出する。より詳しくは、ガンマ線検出装置５は、中性子源３がパルス陽子ビームをターゲット３ｄへ入射させた時点（つまり、基準時点としての中性子発生時点）以降の各時点において、ガンマ線のエネルギースペクトルを検出し、基準時点に対する各時点（すなわち、基準時点との時間差）と、当該時点で検出したガンマ線のエネルギースペクトルとを互いに対応付けた時間差対スペクトルデータを生成する。ガンマ線検出装置５は、ガンマ線検出器５ａとデータ取得部５ｃと強度検出部５ｂを備える。
【００８８】
ガンマ線検出器５ａは、各時点において、検査対象物１からのガンマ線の各エネルギー（各波長）についてガンマ線の強度を検出する。すなわち、ガンマ線検出器５ａは、各時点においてガンマ線のエネルギースペクトルを検出して、当該時点毎に、当該エネルギースペクトルをデータ取得部５ｃへ出力する。
【００８９】
データ取得部５ｃは、各時点においてガンマ線検出器５ａから入力されたエネルギースペクトルに基づいて、各時点の当該エネルギースペクトルを表わす上述の時間差対スペクトルデータを生成する。各時点のエネルギースペクトルは、当該時点で検出されたガンマ線の各エネルギーにおけるガンマ線の検出回数を示す。第２実施形態において、エネルギースペクトルを検出する各時点は、中性子発生時点（基準時点）とガンマ線検出時点との時間差を意味する。ガンマ線検出時点は、当該エネルギースペクトルに対応する各ガンマ線をガンマ線検出器５ａが検出した時点であってよい。
【００９０】
図９は、データ取得部５ｃが生成する時間差対スペクトルデータの実施例の概略を示す。図９において、横軸は、中性子発生時点とガンマ線検出時点との時間差であるＴＯＦ（Ｔｉｍｅ  ｏｆ  Ｆｌｉｇｈｔ）を示し、縦軸は、検出されたガンマ線のエネルギーを示す。また、図９において、Ａは、対応する時点で対応するエネルギーのガンマ線を検出した回数が、概ね１×１０３以上である領域を示し、Ｂは、対応する時点で対応するエネルギーのガンマ線を検出した回数が、概ね４×１０２以上であり９×１０２以下である領域を示し、Ｃは、対応する時点で対応するエネルギーのガンマ線を検出した回数が、概ね３×１０１以上であり２×１０２以下である領域を示し、Ｄは、対応する時点で対応するエネルギーのガンマ線を検出した回数が、概ね１×１０１以上であり３×１０１以下である領域を示し、Ｅは、対応する時点で対応するエネルギーのガンマ線を検出した回数が、概ね１×１０１以下である領域を示す。
【００９１】
なお、データ取得部５ｃは、陽子ビーム入射時点（中性子発生時点）を示す同期信号を中性子源３から受け、この同期信号に基づいて、上述の時間差対スペクトルデータを生成する。例えば、データ取得部５ｃは、同期信号を受けた時点を時間の原点として、時間を計測し、当該原点に対する各時点と、当該時点でガンマ線検出器５ａが検出したエネルギースペクトルとを互いに対応付けた時間差対スペクトルデータを生成する。
【００９２】
強度検出部５ｂは、データ取得部５ｃで取得・生成した時間差対スペクトルデータに基づいて、特定ガンマ線の検出強度を求める。ここで、特定ガンマ線は、後述の濃度データに関する選択ガンマ線であり、検出強度は、第１実施形態において上述した所定の測定時間にわたる特定ガンマ線の検出回数に比例する値である。
【００９３】
時点特定部１５は、ガンマ線検出装置５（データ取得部５ｃ）で取得・生成した時間差対スペクトルデータに基づいて、特定ガンマ線が検出された時点を特定する。例えば、時点特定部１５は、時間差対スペクトルデータに基づいて、ガンマ線検出器５ａにより検出された各時点のエネルギースペクトルのうち、特定ガンマ線のエネルギーを検出した時点を特定する。一例では、時点特定部１５は、上述の時間差対スペクトルデータから、各時点における特定ガンマ線の検出回数を示すデータを抽出し、抽出した当該データに基づいて、特定ガンマ線が検出された時点（すなわち特定時点）を、特定ガンマ線のエネルギーを検出した時点として特定する。
【００９４】
検査対象物１へのパルス中性子線の入射により、対象成分から複数種類の特定ガンマ線が放出される場合には、時点特定部１５は、予め指定した種類の特定ガンマ線（以下で指定ガンマ線ともいう）が検出された時点を特定するのがよい。
【００９５】
深さデータ記憶部９ｃは、検査対象物１において対象成分が存在する深さと、検査対象物１にパルス中性子線を入射させた場合に対象成分に由来する特定ガンマ線（指定ガンマ線）が検出される特定時点（基準時点に対する時点）との関係を表わす深さデータを記憶している。この深さデータは、例えば実験により求められてよい。
【００９６】
この実験では、検査対象物１と同じ材質で形成された複数の供試体を用意する。複数の供試体において対象成分が存在する深さは、これらの供試体の間で異なっている。各供試体について、上述の中性子源３によりパルス中性子線を供試体の表面に入射させ、ガンマ線検出器５ａにより検出された各時点のガンマ線のエネルギースペクトルのうち、特定ガンマ線（指定ガンマ線）のエネルギーの検出時点を時点特定部１５により特定する。１つの供試体における対象成分の深さと、当該供試体について特定した上記検出時点（特定時点）とを１組のデータとし、複数の供試体についてそれぞれ得た複数組のデータに基づいて、上述の深さデータを作成する。このように作成した深さデータを深さデータ記憶部９ｃに予め記憶させておく。
【００９７】
なお、深さデータを求めるための上記実験と、検査対象物１の実際の検査（後述のステップＳ１０１）は、上述の距離条件の下で行われる。更に、深さデータを求めるための上記実験と、検査対象物１の実際の検査（後述のステップＳ１０１）は、上述の中性子スペクトル条件及び向き条件の下で行われるのがよい。
【００９８】
深さ検出部１９は、深さデータ記憶部９ｃに記憶されている深さデータと、時点特定部１５が特定した時点とに基づいて、対象成分が存在する深さを求める。この時、深さ検出部１９は、当該時点を深さデータに適用することにより、対象成分が存在する深さを求めてよい。深さ検出部１９は、求めた深さを出力する。出力された深さは、濃度評価部１４に入力され、適宜の記憶媒体に記憶され、ディスプレイに表示され、または、用紙に印刷されてよい。
【００９９】
例えば上述のように減速部３ｇを設けることにより、中性子源３により、検査対象物１の表面１ａに高速中性子と熱中性子の両方を照射する場合には、高速中性子用の深さデータと熱中性子用の深さデータの一方または両方を、上述のように予め求めておく。これについて、図８Ｂを参照して説明する。図８Ｂにおいて、横軸は時間を示し、縦軸は、特定ガンマ線の検出回数を示す。なお、図８Ｂの時点ｔａ，ｔｂ，ｔｃ，ｔｄは、それぞれ、図８Ａの時点ｔａ，ｔｂ，ｔｃ，ｔｄに相当する。
【０１００】
上述の時間差対スペクトルデータから各時点における特定ガンマ線の検出回数を示すデータを上述のように抽出した場合に、抽出した当該データ（例えば、図８Ｂのデータ）において、特定ガンマ線を検出した時点（特定時点）について、検査対象物１の表面１ａに照射された高速中性子による特定時点（図８Ｂの時点ｔ１）と、検査対象物１の表面１ａに照射された熱中性子による特定時点（図８Ｂの時点ｔ２）とが互いに識別可能にずれるように、中性子源３の上記放出位置と検査対象物１の表面１ａとの距離、および陽子ビームのパルス幅および繰り返し周波数がシミュレーション又は実験により予め設定される。これは、高速中性子と熱中性子は、移動速度が互いに異なることにより可能となる。すなわち、照射された高速中性子によるガンマ線は、早い時点で検出され、照射された熱中性子によるガンマ線は、遅い時点で検出されることによる。図８Ａにおいて陽子ビームのパルス幅が大きいと、図８Ｂの検出回数の波形の幅（時間の幅）が広がり、中性子源３の上記放出位置と検査対象物１の表面１ａとの距離が短いと、図８Ｂの時点ｔ１と時点ｔ２が互いに近くなる。これを考慮して、当該距離やパルス幅および繰り返し周波数が予め設定される。
なお、本実施形態において、特定時点は、特定ガンマ線の検出回数が生じている時間範囲内における特定の時点であり、例えば、当該検出回数がピークとなる時点であってもよいし、当該検出回数が生じ始める開始時点であってもよい。
【０１０１】
高速中性子用の深さデータと熱中性子用の深さデータの両方を求める場合、例えば、深さ検出部１９は、上述の時間差対スペクトルデータから各時点における特定ガンマ線の検出回数を示すデータを抽出し、当該抽出したデータにおいて当該検出回数の２つの特定時点（例えば、図８Ｂのｔ１とｔ２）うち、先の特定時点（ｔ１）と高速中性子用の深さデータとに基づいて、又は、当該２つの特定時点のうち後の特定時点（ｔ２）と熱中性子用の深さデータとに基づいて、対象成分が存在する深さを求めてよい。
【０１０２】
上述では、中性子源３は、熱中性子と高速中性子を検査対象物１に照射するように構成されている。この場合、検査対象物１内において表面１ａから近い範囲および深い範囲に存在する対象成分を検出できる。
一方、減速部３ｇを省略した場合、もしくは、減速部３ｇを設けた構成でも熱中性子遮蔽材４（図７）を検査対象物１の表面１ａに設置した場合、中性子源３は、熱中性子と高速中性子のうち、実質的に高速中性子のみを検査対象物１に照射する。この場合、検査対象物１内において表面１ａから深い範囲に存在する対象成分の深さを検出できる。この場合には、熱中性子用の深さデータは求めなくてよい。
【０１０３】
第２実施形態における濃度データ記憶部９ｂは、第１実施形態の濃度データ記憶部９ｂと同じである。すなわち、この濃度データ記憶部９ｂは、選択ガンマ線の検出強度と対象成分の濃度との関係を表わす濃度データを記憶している。ここで、選択ガンマ線は、上述の指定ガンマ線であってもよいし、別の種類の特定ガンマ線であってもよい。
【０１０４】
濃度評価部１４は、深さ検出部１９が求めた深さと、濃度データ記憶部９ｂに記憶されている当該深さに対応する濃度データと、入力された選択ガンマ線の検出強度とに基づいて、当該深さでの対象成分の濃度を求める。濃度評価部１４は、求めた濃度を出力する。出力された濃度は、適宜の記憶媒体に記憶され、ディスプレイに表示され、または、用紙に印刷されてよい。
【０１０５】
（非破壊検査方法）
図１０は、第２実施形態による非破壊検査方法を示すフローチャートである。この方法は、上述した非破壊検査装置２０を用いて行われてよい。この方法は、ステップＳ１０１〜Ｓ１０５を有する。
【０１０６】
ステップＳ１０１では、中性子源３により、検査対象物１の表面１ａへパルス中性子線を照射する。これにより、検査対象物１に入射したパルス中性子線が、検査対象物１内の対象成分と反応して、対象成分に由来する特定ガンマ線が発生する。
【０１０７】
ステップＳ１０２では、ステップＳ１０１で発生したガンマ線のうち検査対象物内の対象成分に由来の特定ガンマ線を検出し、特定ガンマ線（指定ガンマ線）を検出した時点を特定する。本実施形態では、ステップＳ１０２は、ステップＳ１２１，Ｓ１２２を有してよい。ステップＳ１２１では、ガンマ線検出器５ａにより、各時点においてガンマ線のエネルギースペクトルを検出する。ステップＳ１２２では、上述の同期信号を受けた時点を原点として時間を計測しながら、計測した各時点においてガンマ線検出器５ａが検出したエネルギースペクトルと当該時点とを互いに対応付けた時間差対スペクトルデータを生成する。
【０１０８】
ステップＳ１０３では、ステップＳ１０２における検出の結果に基づいて、時点特定部１５により、ステップＳ１０１でパルス中性子線を照射した時点以降において特定ガンマ線（指定ガンマ線）を検出した時点を特定する。この時、ステップＳ１２２で生成された時間差対スペクトルデータに基づいて、時点特定部１５により、特定ガンマ線を検出した時点を特定してよい。
【０１０９】
ステップＳ１０４では、深さ検出部１９により、ステップＳ１０３で特定した時点と、深さデータ記憶部９ｃの深さデータとに基づいて、対象成分が存在する深さを求める。
【０１１０】
ステップＳ１０５では、ステップＳ１０４で求めた深さと、濃度データ記憶部９ｂに記憶されている当該深さについての濃度データと、選択ガンマ線の検出強度とに基づいて、濃度評価部１４により、当該深さでの対象成分の濃度を求める。
【０１１１】
上記式（Ａ）を用いて各深さについて取得した上記濃度データを用いる場合には、ステップ１０５は、次のように行われる。
まず、選択ガンマ線の検出回数Ａと上記式（Ａ）に基づいて、強度検出部５ｂは、選択ガンマ線の検出強度を求める。この時に用いる検出回数Ａは、中性子源３とガンマ線検出装置５により検査対象物１に対して（例えばステップＳ１０２で、又はステップＳ１０２で新たに選択し）取得した選択ガンマ線の検出の結果に基づくものである。
次いで、濃度評価部１４は、強度検出部５ｂが求めた選択ガンマ線の検出強度と、ステップＳ１０４で求めた深さと、濃度データ記憶部９ｂに記憶されている当該深さについての濃度データとに基づいて、当該深さでの対象成分の濃度を求める。
【０１１２】
一方、各深さについての濃度データが、当該深さに対応するガンマ線検出効率εγを用いて取得されている場合には、ステップＳ１０５は、次のように行われる。
まず、ステップＳ１０４で求めた深さに対応するガンマ線検出効率εγをεγｄとして、強度検出部５ｂは、上述の式（１）と、選択ガンマ線の検出回数Ａとに基づいて、選択ガンマ線の検出強度を求める。この時に用いる検出回数Ａは、中性子源３とガンマ線検出装置５により検査対象物１に対して（例えばステップＳ１０２で、又はステップＳ１０２で新たに選択し）取得した選択ガンマ線の検出の結果に基づくものである。第１実施形態の場合と同じ上記検出効率データが図７のように検出効率記憶部８に記憶されており、強度検出部５ｂは、検出効率記憶部８の検出効率データと、ステップＳ１０４で求めた深さとに基づいて、上述のεγｄを特定して、上述のように上記式（１）を用いる。
次いで、濃度評価部１４は、強度検出部５ｂが求めた選択ガンマ線の検出強度と、ステップＳ１０４で求めた深さ（深さ検出部１９から入力された当該深さ）と、濃度データ記憶部９ｂに記憶されている当該深さについての濃度データとに基づいて、当該深さでの対象成分の濃度を求める。
【０１１３】
（第２実施形態の効果）
上述した検査対象物１に入射した中性子と対象成分との反応により発生する特定ガンマ線を検出し、特定ガンマ線を検出した時点を特定する。特定した時点は、対象成分が存在する深さを示す。したがって、このような時点を求めることで、対象成分が存在する深さを検出することができる。よって、検査対象物１における対象成分の深さを非破壊的に検出できる。例えば、検査対象物１であるコンクリート構造物からコアを採取せずに、検査対象物１内に存在する対象成分の位置の深さの検出、および、その深さにおける対象成分の濃度評価ができる。
【０１１４】
［第３実施形態］
（第３実施形態の原理）
図１１Ａは、第３実施形態による検出原理を説明するための図である。第３実施形態では、ガンマ線検出装置５は、検出するガンマ線をコリメートする。すなわち、ガンマ線検出装置５は、検査対象物１内の特定の深さで生じたガンマ線のうち、特定の範囲内の方向へ飛行して来たガンマ線を検出する。より詳しくは、断面寸法が絞られた中性子線を検査対象物１に入射させ、ガンマ線検出器５ａの基準直線Ｌと中性子線の直線経路とが交差する位置Ｐｃ（以下で単に交差位置Ｐｃともいう）で生じたガンマ線のうち、基準直線Ｌに沿って飛行して来たガンマ線を、選択的にガンマ線検出器５ａに入射させ、他の方向へ飛行するガンマ線がガンマ線検出器５ａへ入射することを後述のガンマ線遮蔽部５ｄにより阻止する。
【０１１５】
したがって、ガンマ線検出装置５により対象成分に由来する特定ガンマ線を検出した場合には、上述した交差位置Ｐｃ（深さ）に対象成分が存在することが分かる。また、基準直線Ｌと中性子線の経路との幾何学的関係（位置や向きに関する関係）を変えることにより、交差位置Ｐｃが変化するので、各交差位置Ｐｃに対象成分が存在するかどうかを検査できる。
【０１１６】
ただし、中性子線の断面の寸法を上限値以下に絞った状態で、中性子線を検査対象物１に入射させる。ここで、上限値は、数十ミリメートル以下であってよく、例えば、５０ミリメートル以下又は３０ミリメートル以下である。中性子線を絞る度合いは、要求される交差位置Ｐｃの分解能に応じて中性子源３に設定されてよい。中性子線の断面が大きいと、ガンマ線の検出回数は増えるが、交差位置Ｐｃの分解能は下がる。中性子線の断面が小さいと、ガンマ線の検出回数は減るが、交差位置Ｐｃの分解能は上がる。なお、中性子線の断面形状は、例えば円形又は円形に近い形状であってよいが、これらに限定されず楕円形や矩形などであってもよい。
【０１１７】
また、ガンマ線をコリメートする度合い（後述するガンマ線遮蔽部５ｄの開口２１ａの面積）は、どの程度の広がりを有する領域（交差位置Ｐｃ）からのガンマ線を検出するかに応じて設定される。開口２１ａの面積が大きいと、ガンマ線の検出回数は増えるが、交差位置Ｐｃの分解能は下がる。開口２１ａの面積が小さいと、ガンマ線の検出回数は減るが、交差位置Ｐｃの分解能は上がる。図１１Ｂは、図１１Ａにおける部分拡大図であり、ガンマ線検出器５ａ及びガンマ線遮蔽部５ｄの形状の一例を示す。図１１Ｂのように、ガンマ線検出器５ａは、検出面５ａ１を有し、当該検出面５ａ１に入射したガンマ線を検出する。この検出面５ａ１の面積Ｄ１は、ガンマ線遮蔽部５ｄにおけるガンマ線通過穴２１の断面積Ｄ２よりも大きく、開口２１ａの面積Ｄ３よりも大きい。すなわち、ガンマ線通過穴２１の中心線Ｌの方向から見た場合に、例えば図１１Ｂのように、ガンマ線通過穴２１と開口２１ａは、検出面５ａ１よりも小さくなるように、ガンマ線検出器５ａ及びガンマ線遮蔽部５ｄが形成されてよい。
【０１１８】
（第３実施形態の構成）
図１２は、本発明の第３実施形態による非破壊検査装置３０の構成を示す。非破壊検査装置３０は、第１実施形態又は第２実施形態で説明した中性子源３と、ガンマ線検出装置５を備える。第３実施形態では、ガンマ線検出装置５は、以下で説明する構成を有する。第３実施形態において、ガンマ線検出装置５について、以下で説明しない点は、上述した第１実施形態または第２実施形態の場合と同じであってよい。
【０１１９】
第３実施形態では、ガンマ線検出装置５は、ガンマ線検出器５ａと強度検出部５ｂとガンマ線遮蔽部５ｄを備える。
【０１２０】
ガンマ線検出器５ａは、中性子線の入射により検査対象物１で発生したガンマ線の各エネルギーについて、ガンマ線を検出し、その検出データを強度検出部５ｂに入力する。この検出データは、検出した各ガンマ線のエネルギーに対応する波高値であってよい。ガンマ線検出器５ａは、例えばゲルマニウム検出器であってよいが、これに限定されない。
【０１２１】
強度検出部５ｂは、ガンマ線検出器５ａから入力された各波高値に基づいて、ガンマ線のエネルギースペクトルを取得する。強度検出部５ｂは、このエネルギースペクトルに基づいて、特定ガンマ線の強度を検出強度として求める。ここで、検査対象物１への中性子線の入射により、対象成分から複数種類の特定ガンマ線が放出される場合には、強度検出部５ｂは、予め指定した種類の特定ガンマ線の強度を検出強度として求める。強度検出部５ｂは、求めた特定ガンマ線の検出強度を出力する。出力された当該検出強度は、ディスプレイに表示されてよい。
【０１２２】
ガンマ線遮蔽部５ｄは、ガンマ線に対して遮蔽能力が高い材料（例えば、鉛、タングステン、タンタル、又は鉄）を用いて、実質的にガンマ線を通さないよう形成されている。ガンマ線遮蔽部５ｄは、ガンマ線通過穴２１を形成している。ガンマ線通過穴２１は、ガンマ線が進入可能な開口２１ａを有する。ガンマ線通過穴２１において開口２１ａから奥側にずれた位置にガンマ線検出器５ａが配置されている。開口２１ａとガンマ線検出器５ａとは基準直線Ｌ上に位置している。このようなガンマ線遮蔽部５ｄにより、ガンマ線検出器５ａは、実質的に、基準直線Ｌに沿って開口２１ａから進入したガンマ線のみを検出する。なお、基準直線Ｌは、ガンマ線通過穴２１の中心線であってよい。
【０１２３】
ガンマ線検出器５ａがゲルマニウム検出器５ａである場合、ゲルマニウム検出器５ａを冷却する冷却装置１７（図１２では図示を省略するが、図１１Ａと図１１Ｂに図示する）が設けられる。冷却装置１７は、ガンマ線遮蔽部５ｄの外部に設けられてよい。この場合、冷却装置１７は、ガンマ線遮蔽部５ｄにおいて開口２１ａと反対側に設けられた穴１８を通してゲルマニウム検出器５ａを冷却してよい。
【０１２４】
ガンマ線遮蔽部５ｄは、開口２１ａが形成されている先端面２２を有する。基準直線Ｌは、先端面２２に対して斜めに延びていてよい。すなわち、基準直線Ｌが先端面２２に対して斜めに延びているように先端面２２が形成されている。この構成により、先端面２２を図１２のように検査対象物１の表面１ａに対向させた状態で検査を行うことにより、基準直線Ｌの延長上以外の位置からのガンマ線がガンマ線検出器５ａに至ることを、より確実に防止できる。その結果、交差位置Ｐｃの分解能が向上する。なお、先端面２２は、平面であってよいが、これに限定されない。
【０１２５】
図１３Ａと図１３Ｂは、ガンマ線遮蔽部５ｄの形状の具体例を示す。図１３Ａと図１３Ｂは、いずれも図１１ＡのＸＩＩＩ−ＸＩＩＩ矢視図であるが、互いに異なる具体例を示す。
【０１２６】
図１３Ａの場合には、ガンマ線遮蔽部５ｄは、ガンマ線通過穴２１の周囲全体を囲むように形成されている。この場合、ガンマ線通過穴２１の断面形状は、図１３Ａのように円形であってもよいし、他の形状であってもよい。
【０１２７】
図１３Ｂの場合には、ガンマ線遮蔽部５ｄは、ガンマ線を実質的に通さないよう上記材料で形成され互いに隙間を隔てた２つの遮蔽ブロック２３，２４を有し、当該隙間がガンマ線通過穴２１である。この隙間２１は、基準直線Ｌに沿って延びている。基準直線Ｌと直交する第１方向における隙間２１の寸法は、基準直線Ｌと第１方向の両方に直交する第２方向における隙間２１の寸法よりも小さい。例えば、第１方向における隙間２１の寸法は、第２方向における隙間２１の寸法の１／２以下、１／３倍以下、又は１／５以下である。
【０１２８】
図１３Ｂの場合、中性子線の断面の寸法は、第１方向と第２方向のうち少なくとも第１方向において、上述の上限値以下に設定される。
【０１２９】
互いに対応するガンマ線検出器５ａと強度検出部５ｂとガンマ線遮蔽部５ｄを１組として、ガンマ線検出装置５は、１組又は複数組を備えてよい。図１２では、２組を図示している。なお、図１２における各ガンマ線検出器５ａに対応するガンマ線遮蔽部５ｄは、図１３Ａ又は図１３Ｂに基づいて説明した形状を有していてよい。
【０１３０】
第３実施形態における濃度データ記憶部９ｂは、第１実施形態の濃度データ記憶部９ｂと同じである。すなわち、この濃度データ記憶部９ｂは、選択ガンマ線の検出強度と対象成分の濃度との関係を表わす濃度データを記憶している。
【０１３１】
濃度評価部１６は、後述のように求めた深さと、濃度データ記憶部９ｂに記憶されている当該深さに対応する濃度データと、入力された選択ガンマ線の検出強度とに基づいて、当該深さでの対象成分の濃度を求める。濃度評価部１６は、求めた濃度を出力する。出力された濃度は、適宜の記憶媒体に記憶され、ディスプレイに表示され、または、用紙に印刷されてよい。
【０１３２】
（非破壊検査方法）
図１４は、第３実施形態による非破壊検査方法を示すフローチャートである。この方法は、上述した非破壊検査装置３０を用いて行われてよい。この方法は、ステップＳ２０１〜Ｓ２０５を有する。
【０１３３】
ステップＳ２０１では、中性子源３から放出される中性子線の経路とガンマ線遮蔽部５ｄの上記基準直線Ｌの延長線とが検査対象物１の内部において交差するように、中性子源３およびガンマ線検出装置５を配置する。この配置において、ガンマ線遮蔽部５ｄの先端面２２を検査対象物１の表面１ａに対向させるように（例えば平らな先端面２２が平らな表面１ａと平行になるように）ガンマ線遮蔽部５ｄとガンマ線検出器５ａを配置してよい。この場合、更に、先端面２２を表面１ａに接触させ又は先端面２２と表面１ａとの間に僅かな隙間を置くようにしてもよい。また、入射する中性子線と検査対象物１の表面１ａとは垂直である必要はなく、斜めに中性子線を入射させてもよい。入射させる中性子線と表面１との角度によって、ガンマ線検出器５ａの配置を変えればよい。
【０１３４】
ステップＳ２０２は、ステップＳ２０１で行った配置の状態で行われる。ステップＳ２０２では、中性子源３により、検査対象物１の表面１ａへ中性子線を入射させる。また、ステップＳ２０２では、ガンマ線検出器５ａにより、中性子線の入射により発生した各エネルギーのガンマ線を検出し、その検出データを強度検出部５ｂに入力する。ステップＳ２０２で表面１ａへ入射させる中性子線は、第２実施形態のように、パルス中性子線であってもよいし、時間的に連続する中性子線であってもよい。
【０１３５】
ステップＳ２０３では、強度検出部５ｂにより、ステップＳ２０２で得た検出データ（検出した各ガンマ線のエネルギーに対応する波高値）に基づいて、ガンマ線のエネルギースペクトルを取得し、このエネルギースペクトルに基づいて、特定ガンマ線（すなわち、選択ガンマ線）の強度を（例えば、式（Ａ）により）検出強度として求める。また、ステップＳ２０３では、当該検出強度が、強度検出部５ｂから出力される。
【０１３６】
ステップＳ２０４では、ステップＳ２０３で出力された特定ガンマ線の検出強度に基づいて、ステップＳ２０１における基準直線Ｌに対応する検査対象物１内の深さ（以下で対応深さともいう）に、対象成分が存在するかを判断する。この対応深さは、図１１Ａと図１２において破線の円で囲んだ交差位置Ｐｃの深さである。すなわち、対応深さは、中性子源３から放出される中性子線の上記経路と上記基準直線Ｌの延長線との交点の位置の深さである。
【０１３７】
当該交差位置Ｐｃ（対応深さ）は、ステップＳ２０１で配置した中性子源３とガンマ線検出装置５及び検査対象物１の幾何学的関係に基づいてステップＳ２０４において求めることができる。例えば、当該幾何学的関係を適宜のセンサ又は計測機器を用いて検出し、当該検出の結果を適宜の演算装置に入力することにより、当該演算装置が交差位置Ｐｃを求めてよい。或いは、当該検出の結果に基づいて人が交差位置Ｐｃを計算して求めてもよい。このように求められた交差位置Ｐｃは、対応深さと、表面１ａに沿った方向の位置とからなる。なお、上記幾何学的関係は、例えば、中性子線の上記経路と、上記基準直線Ｌと、検査対象物１の表面１ａとの位置及び向きに関する関係であってよい。
【０１３８】
ステップＳ２０４の判断は人が行ってよい。例えば、ステップＳ２０３で出力された特定ガンマ線の検出強度が、ディスプレイに表示され、人は、表示された検出強度を見て、当該検出強度が設定下限値以上である場合には、対応深さに対象成分が存在すると判断する。なお、上述のように上記演算装置が求めた対応深さが、当該検出強度と共にディスプレイに表示されてよい。
【０１３９】
また、ステップＳ２０５において、ステップＳ２０４で求めた上記対応深さ（交差位置Ｐｃ）における対象成分の濃度を求める。この場合、上述した濃度データと、当該対応深さと、ステップＳ２０３で求めた検出強度とに基づいて、濃度評価部１６は、対応深さにおける対象成分の濃度を求める。この時に用いる対応深さは、上述のようにステップＳ２０４で求められ、上記演算装置により、又は、人が適宜の操作部を操作することにより、濃度評価部１６や強度検出部５ｂに入力されてよい。
【０１４０】
上記式（Ａ）を用いて各深さについて取得した上記濃度データを用いる場合には、ステップ２０５は、次のように行われる。
まず、上述の式（Ａ）と、選択ガンマ線の検出回数Ａとに基づいて、強度検出部５ｂは、選択ガンマ線の検出強度を求める。この時に用いられる検出回数Ａは、上述の濃度データを取得した時の上記条件（上記向き条件を含む）と同じ条件で、中性子源３とガンマ線検出装置５により検査対象物１に対して（例えば、上記ステップＳ２０２で又はステップＳ２０２で新たに選択し）取得した選択ガンマ線の検出の結果に基づくものである。
次いで、濃度評価部１６は、強度検出部５ｂが求めた選択ガンマ線の検出強度と、ステップＳ２０４で求めた対応深さと、濃度データ記憶部９ｂに記憶されている当該深さについての濃度データとに基づいて、当該深さでの対象成分の濃度を求める。
このような濃度評価は人が行ってもよい。例えば、上記検出強度と、各深さについての濃度データと、上記対応深さが、ディスプレイに表示され、人は、表示されたこれらのデータを見て、対応深さにおける対象成分の濃度を求めてよい。
【０１４１】
一方、各深さについての濃度データが、当該深さに対応するガンマ線検出効率εγを用いて取得されている場合には、ステップＳ２０５は、次のように行われる。
ステップＳ２０４で求めた対応深さに対応するガンマ線検出効率εγをεγｄとして、強度検出部５ｂは、上述の式（１）と、選択ガンマ線の検出回数Ａとに基づいて、選択ガンマ線の検出強度を求める。この時に用いる検出回数Ａは、上述の濃度データを取得した時の上記条件（上記向き条件を含む）と同じ条件で、中性子源３とガンマ線検出装置５により検査対象物１に対して（例えば、上記ステップＳ２０２で又はステップＳ２０２で新たに選択し）取得した選択ガンマ線の検出の結果に基づくものである。また、第１実施形態の場合と同じ上記検出効率データが図１２のように検出効率記憶部８に記憶されており、強度検出部５ｂは、検出効率記憶部８の検出効率データと、ステップＳ２０４で求めた対応深さとに基づいて、上述のεγｄを特定して、上述のように上記式（１）を用いる。
次いで、濃度評価部１６は、強度検出部５ｂが求めた選択ガンマ線の検出強度と、ステップＳ２０４で求めた深さと、濃度データ記憶部９ｂに記憶されている当該深さについての濃度データとに基づいて、当該深さでの対象成分の濃度を求める。
このような濃度評価は人が行ってもよい。例えば、上記検出強度と、各深さについての濃度データと、対応深さと、検出効率データが、ディスプレイに表示され、人は、表示されたこれらのデータを見て、対応深さにおける対象成分の濃度を求めてよい。
【０１４２】
＜検査方法のバリエーション＞
上述の非破壊検査方法のバリエーションとして以下の第１〜第３の例を説明する。以下で説明しない点は、上述した非破壊検査方法と同じである。
【０１４３】
第１の例では、複数組のガンマ線検出器５ａと強度検出部５ｂとガンマ線遮蔽部５ｄを用いる。すなわち、ステップＳ２０１で、図１５Ａのように、複数組のそれぞれに属する複数のガンマ線検出器５ａに関する上記交差位置Ｐｃが互いに異なるように、複数のガンマ線検出器５ａ及び中性子源３（図示を省略）を配置する。その後、ステップＳ２０２で各ガンマ線検出器５ａが得た検出データに対してステップＳ２０３〜Ｓ２０５を行う。このようにステップＳ２０１〜Ｓ２０５を行う度に、再度のステップＳ２０１で、複数のガンマ線検出器５ａの位置を、表面１ａに沿った方向（例えば図１５Ａの矢印Ｘの方向）にずらし、再び、ステップＳ２０２〜Ｓ２０５を行って、ステップＳ２０１〜Ｓ２０５を繰り返す。
【０１４４】
この繰り返しにおいて、中性子線の経路を固定しておいてよい。この場合、当該繰り返しにおいて、中性子線の経路に対する各ガンマ線検出器５ａの基準直線Ｌの向きは固定されていてもよいし、変化させてもよい。
【０１４５】
第２の例では、第１の例と同様に、ステップＳ２０１で、図１５Ｂのように、複数組のそれぞれに属する複数のガンマ線検出器５ａに関する上記交差位置Ｐｃが互いに異なるように、複数のガンマ線検出器５ａ及び中性子源３（図示を省略）を配置する。その後、ステップＳ２０２で各ガンマ線検出器５ａが得た検出データに対してステップＳ２０３〜Ｓ２０５を行う。このようにステップＳ２０１〜Ｓ２０５を行う度に、再度のステップＳ２０１で中性子線の経路を変え（例えば図１５Ｂにおいて、矢印Ｘの方向に中性子線の経路をずらし、或いは、表面１ａに対する中性子線の入射角θを変え）、再び、ステップＳ２０２〜Ｓ２０５を行って、ステップＳ２０１〜Ｓ２０５を繰り返す。この繰り返しにおいて、表面１ａに対する複数のガンマ線検出器５ａの位置と向きを固定しておいてよい。
【０１４６】
第３の例では、ステップＳ２０１で、図１５Ｃのように、複数組にそれぞれ属するガンマ線検出器５ａに関する上記交差位置Ｐｃが互いに異なるように、複数のガンマ線検出器５ａ及び中性子源３（図示を省略）を配置する。その後、ステップＳ２０２で各ガンマ線検出器５ａが得た検出データに対してステップＳ２０３〜Ｓ２０５を行う。このようにステップＳ２０１〜Ｓ２０５を行う度に、再度のステップＳ２０１で、表面１ａに対する各ガンマ線検出器５ａの基準直線Ｌの傾きを変えて、再び、ステップＳ２０２〜Ｓ２０５を行って、ステップＳ２０１〜Ｓ２０５を繰り返す。この繰り返しにおいて、中性子線の経路を固定しておいてよい。
【０１４７】
なお、図１５Ｃの例のように、基準直線Ｌは先端面２２に直交していてもよい。このような場合においても、図１３Ａ又は図１３Ｂに基づいて上述したガンマ線遮蔽部５ｄの形状を採用してよい。また、第３の例において、複数組の代わりに１組のガンマ線検出器５ａを用いてもよく、この場合、他の点は上述と同じである。
【０１４８】
第１〜第３の例による検査で、検査対象物１内の広範囲にわたって、対象成分の存在の有無やその濃度を検査することができる。
【０１４９】
上述した第３実施形態は、第１実施形態又は第２実施形態と組み合わせて実施されてもよいし、第１実施形態及び第２実施形態から独立して実施されてもよい。
【０１５０】
（第３実施形態の効果）
ガンマ線検出器５ａを、ガンマ線遮蔽部５ｄのガンマ線通過穴２１に配置するので、ガンマ線検出器５ａは、実質的に、ガンマ線遮蔽部５ｄの基準直線Ｌに対応する深さからのガンマ線のみを検出する。したがって、基準直線Ｌの向きを変えて、各向きについて特定ガンマ線の検出強度を取得し、検出強度が設定下限値を超えた基準直線Ｌの向きに対応する深さに対象成分が存在すると判断できる。このようにして対象成分の深さを特定することができる。また、予め実験により濃度評価のための濃度データを取得していれば、対象成分の深さとともに濃度も取得・評価することができる。
【０１５１】
本発明は上述した実施の形態に限定されず、本発明の技術的思想の範囲内で種々変更を加え得ることは勿論である。例えば、上述した各効果は必ずしも本発明を限定的するものではない。また、本発明は、本明細書で示された効果のいずれか、又は、本明細書から把握され得る他の効果が奏されるものであってもよい。また、以下の変更例１〜３のいずれかを採用してもよいし、変更例１〜３の２つ以上を任意に組み合わせて採用してもよい。この場合、以下で述べない点は、上述と同じであってよい。
【０１５２】
（変更例１）
第１実施形態において深さ検出部１１を省略してもよい。この場合、上述のステップＳ３で求められた比率と深さデータとに基づいて、人が、対象成分の深さを求めてもよい。例えば、ステップＳ３で求められた比率と深さデータが、ディスプレイに表示され、又は用紙に印刷され、人は、表示又は印刷された比率と深さデータを見て対象成分の深さを求めてよい。
【０１５３】
同様に、第２実施形態において深さ検出部１９を省略してもよい。この場合、上述のステップＳ１０３で特定された時点と深さデータとに基づいて、人が、対象成分の深さを求めてもよい。例えば、ステップＳ１０３で特定された時点と深さデータが、ディスプレイに表示され、又は用紙に印刷され、人は、表示又は印刷された時点と深さデータを見て対象成分の深さを求めてよい。
【０１５４】
（変更例２）
第１実施形態において濃度評価部１３を省略してもよい。この場合、上述のステップＳ４で求められた深さと、当該深さに対応するガンマ線検出効率εγに基づく選択ガンマ線の検出強度と、上述の濃度データとに基づいて、人が、当該深さにおける対象成分の濃度を求めてもよい。すなわち、上述のステップＳ５で用いられる各データ（例えば、ステップＳ２で検出された選択ガンマ線の検出強度と、上述の検出効率データと、ステップＳ４で求められた深さと、上述の濃度データ）が、ディスプレイに表示され、又は用紙に印刷され、人は、表示又は印刷されたこれらのデータを見て上記深さにおける対象成分の濃度を求めてよい。
【０１５５】
同様に、第２実施形態において濃度評価部１４を省略してもよい。この場合、上述のステップＳ１０４で求められた深さと、当該深さに対応するガンマ線検出効率εγに基づく選択ガンマ線の検出強度と、上述の濃度データとに基づいて、人が、当該深さにおける対象成分の濃度を求めてもよい。すなわち、上述のステップＳ１０５で用いられる各データが、ディスプレイに表示され、又は用紙に印刷され、人は、表示又は印刷されたこれらのデータを見て上記深さにおける対象成分の濃度を求めてよい。
【０１５６】
（変更例３）
上述の第１実施形態と第３実施形態において、中性子源３は、検査対象物１に中性子線を入射できるものであればよく、パルス型を含む加速器を用いた中性子源に限定されない。例えば、中性子源３は、中性子を発生するＲＩ線源（２５２Ｃｆなど）やＤＤ，ＤＴ中性子管を用いたものであってもよい。ＲＩ線源を用いる場合、例えば、図１と図１２において、ターゲット３ｄの位置にＲＩ線源を配置し、このＲＩ線源を囲む容器３ｅを設け、この容器３ｅに、ＲＩ線源用の管状遮蔽部材３ｆを設ける。
【０１５７】
本件発明は、これまでに記載の実施形態、実施例、変更例に限定されず、発明の趣旨を逸脱しない限り広く適用される。例えば、上述した選択ガンマ線は、上述した例に限定されず、特定ガンマ線であればよい。
【符号の説明】
【０１５８】
１  検査対象物、１ａ  表面、３  中性子源、３ａ  イオン源、３ｂ  加速装置、３ｃ  ビーム調整器、３ｄ  ターゲット、３ｅ  容器、３ｆ  管状遮蔽部材、３ｇ  減速部、５  ガンマ線検出装置、５ａ  ガンマ線検出器、５ｂ  強度検出部、５ｃ  データ取得部、５ｄ  ガンマ線遮蔽部、７  比率算出部、８  検出効率記憶部、９ａ，９ｃ  深さデータ記憶部、９ｂ  濃度データ記憶部、１０，２０  非破壊検査装置、１１  深さ検出部、１３，１４，１６  濃度評価部、１５  時点特定部、１７  冷却装置、１８  穴、１９  深さ検出部、２１  ガンマ線通過穴、２１ａ  開口２２  先端面、２３，２４  遮蔽ブロック、Ｌ  基準直線、Ｐｃ  交差位置、
【図１】
2019198260.tif 000003
【図２】
2019198260.tif 000004
【図３】
2019198260.tif 000005
【図４】
2019198260.tif 000006
【図５】
2019198260.tif 000007
【図６】
2019198260.tif 000008
【図７】
2019198260.tif 000009
【図８Ａ】
2019198260.tif 000010
【図８Ｂ】
2019198260.tif 000011
【図９】
2019198260.tif 000012
【図１０】
2019198260.tif 000013
【図１１Ａ】
2019198260.tif 000014
【図１１Ｂ】
2019198260.tif 000015
【図１２】
2019198260.tif 000016
【図１３Ａ】
2019198260.tif 000017
【図１３Ｂ】
2019198260.tif 000018
【図１４】
2019198260.tif 000019
【図１５Ａ】
2019198260.tif 000020
【図１５Ｂ】
2019198260.tif 000021
【図１５Ｃ】
2019198260.tif 000022
【国際調査報告】
2019198260.tif 000023
2019198260.tif 000024
2019198260.tif 000025
2019198260.tif 000026
2019198260.tif 000027
2019198260.tif 000028
2019198260.tif 000029
2019198260.tif 000030
2019198260.tif 000031
2019198260.tif 000032